(57)【要約】【課題】  撮像装置によって撮影された撮影画像を印刷する際に、ユーザにとって利便性の高い情報を併せて印刷することができる画像形成装置を提供する。【解決手段】  複数の撮影場所名情報６６がそれぞれ領域情報６５に関連付けられて記憶される情報管理サーバ装置１１と通信可能な画像形成装置１０は、撮影画像の画像データに、該撮影画像が撮影された地点の緯度および経度のデータが付加される画像ファイルの印刷指示が入力されると、その画像ファイルから、緯度および経度のデータを取得して情報管理サーバ装置１１へ送信し、情報管理サーバ装置１１から、送信した緯度および経度のデータに対応した領域情報６５に関連付けられている撮影場所名情報６６を取得すると、印刷指示の対象の画像ファイルに含まれる画像データに基いて、撮影画像を記録用紙の表面に印刷し、取得した撮影場所名情報６６に基いて、場所の名称を表す文字を、該記録用紙の裏面に印刷する。【選択図】      図５
2015115705.tif 000002
【特許請求の範囲】
【請求項１】
複数の場所の名称を示すデータがそれぞれ、その場所の領域を示すデータに関連付けられて記憶される外部の装置とネットワークを介して通信可能に構成される画像形成装置であって、
撮影画像の画像データに、該撮影画像が撮影された地点の緯度および経度のデータが付加されて構成される画像ファイルが記憶される記憶部と、
前記画像ファイルの印刷指示が入力されると、その画像ファイルから、緯度および経度のデータを取得して、前記外部の装置へ送信する送信部と、
前記外部の装置から、前記送信部が送信した緯度および経度のデータに対応した領域を示すデータに関連付けられている場所の名称を示すデータを取得すると、前記印刷指示の対象の画像ファイルに含まれる撮影画像の画像データに基づいて、該撮影画像を記録用紙の一方の面に印刷し、取得した場所の名称を示すデータに基づいて、該場所の名称を表す文字を、該記録用紙の他方の面に印刷する印刷部とを備えることを特徴とする画像形成装置。
【請求項２】
複数の場所の名称を示すデータがそれぞれ、日時のデータ、ならびに、その場所の領域を示すデータに関連付けられて記憶される外部の装置とネットワークを介して通信可能に構成される画像形成装置であって、
撮影画像の画像データに、該撮影画像が撮影された日時のデータ、ならびに、該撮影画像が撮影された地点の緯度および経度のデータが付加されて構成される画像ファイルが記憶される記憶部と、
前記画像ファイルの印刷指示が入力されると、その画像ファイルから、日時のデータならびに緯度および経度のデータを取得して、前記外部の装置へ送信する送信部と、
前記外部の装置から、前記送信部が送信した日時のデータと、前記送信部が送信した緯度および経度のデータに対応した領域を示すデータとに関連付けられている場所の名称を示すデータを取得すると、前記印刷指示の対象の画像ファイルに含まれる撮影画像の画像データに基づいて、該撮影画像を記録用紙の一方の面に印刷し、取得した場所の名称を示すデータに基づいて、該場所の名称を表す文字を、該記録用紙の他方の面に印刷する印刷部とを備えることを特徴とする画像形成装置。
【請求項３】
複数の人物の名前を示すデータがそれぞれ、その人物の顔の特徴を示すデータに関連付けられて記憶される外部の装置とネットワークを介して通信可能に構成される画像形成装置であって、
人物の顔が写されている撮影画像の画像データを含む画像ファイルが記憶される記憶部と、
前記画像ファイルの印刷指示が入力されると、その画像データに基づいて、撮影画像に含まれる人物の顔の特徴を示すデータを取得して、前記外部の装置へ送信する送信部と、
前記外部の装置から、前記送信部が送信した人物の顔の特徴を示すデータに対応した人物の顔の特徴を示すデータに関連付けられている人物の名前を示すデータを取得すると、前記印刷指示の対象の画像ファイルに含まれる撮影画像の画像データに基づいて、該撮影画像を記録用紙の一方の面に印刷し、取得した人物の名前を示すデータに基づいて、該人物の名前を表す文字を、該記録用紙の他方の面に印刷する印刷部とを備えることを特徴とする画像形成装置。
【請求項４】
前記画像ファイルは、前記撮影画像の画像の向きのデータが付加されて構成され、
前記画像ファイルの印刷指示が入力されると、その画像ファイルから、画像の向きのデータを取得する取得部をさらに備え、
前記印刷部は、記録用紙の他方の面に前記文字を印刷する際に、前記取得部が取得した画像の向きのデータに基づいて、該文字の上下が、該記録用紙の一方の面に印刷される撮影画像の画像の上下に一致するように印刷することを特徴とする請求項１〜３のいずれか１つに記載の画像形成装置。
【請求項５】
画像形成装置と、該画像形成装置とネットワークを介して通信可能なサーバ装置とによって構成される画像形成システムであって、
前記サーバ装置は、
複数の場所の名称を示すデータがそれぞれ、その場所の領域を示すデータに関連付けられて記憶されるサーバ記憶部と、
前記画像形成装置から緯度および経度のデータを受信すると、受信した緯度および経度のデータに対応した領域を示すデータに関連付けられている場所の名称を示すデータを前記サーバ記憶部から取得し、該画像形成装置へ送信するサーバ送信部とを備え、
前記画像形成装置は、
撮影画像の画像データに、該撮影画像が撮影された地点の緯度および経度のデータが付加されて構成される画像ファイルが記憶される画像形成装置記憶部と、
前記画像ファイルの印刷指示が入力されると、その画像ファイルから、緯度および経度のデータを取得して、取得した緯度および経度のデータを検索用データとして、前記サーバ装置へ送信する画像形成装置送信部と、
前記サーバ装置から、前記画像形成装置送信部が送信した検索用データに応答して場所の名称を示すデータを取得すると、前記印刷指示の対象の画像ファイルに含まれる撮影画像の画像データに基づいて、該撮影画像を記録用紙の一方の面に印刷し、取得した場所の名称を示すデータに基づいて、該場所の名称を表す文字を、該記録用紙の他方の面に印刷する印刷部とを備えることを特徴とする画像形成システム。
【請求項６】
画像形成装置と、該画像形成装置とネットワークを介して通信可能なサーバ装置とによって構成される画像形成システムであって、
前記サーバ装置は、
複数の場所の名称を示すデータがそれぞれ、日時のデータ、ならびに、その場所の領域を示すデータに関連付けられて記憶されるサーバ記憶部と、
前記画像形成装置から日時のデータならびに緯度および経度のデータを受信すると、受信した日時のデータと、受信した緯度および経度のデータに対応した領域を示すデータとに関連付けられている場所の名称を示すデータを前記サーバ記憶部から取得し、該画像形成装置へ送信するサーバ送信部とを備え、
前記画像形成装置は、
撮影画像の画像データに、該撮影画像が撮影された日時、ならびに該撮影画像が撮影された地点の緯度および経度のデータが付加されて構成される画像ファイルが記憶される画像形成装置記憶部と、
前記画像ファイルの印刷指示が入力されると、その画像ファイルから、日時のデータならびに緯度および経度のデータを取得して、取得した日時のデータならびに緯度および経度のデータを検索用データとして、前記サーバ装置へ送信する画像形成装置送信部と、
前記サーバ装置から、前記画像形成装置送信部が送信した検索用データに応答して場所の名称を示すデータを取得すると、前記印刷指示の対象の画像ファイルに含まれる撮影画像の画像データに基づいて、該撮影画像を記録用紙の一方の面に印刷し、取得した前記場所の名称を示すデータに基づいて、該場所の名称を表す文字を、該記録用紙の他方の面に印刷する印刷部とを備えることを特徴とする画像形成システム。
【請求項７】
前記画像形成装置は、利用者を識別するための識別データを取得する識別データ取得部をさらに備え、
前記画像形成装置送信部は、前記識別データ取得部が識別データを取得すると、取得した識別データを、検索用データとともにサーバ送信部へ送信し、
前記サーバ記憶部に記憶される場所の名称を示すデータは、識別データがさらに関連付けられている個人用の場所の名称を示すデータと、識別データが関連付けられていない全利用者用の場所の名称を示すデータとに分類され、
前記サーバ送信部は、前記画像形成装置から受信した検索用データに識別データが伴われていると、複数の個人用の場所の名称を示すデータの中から、該識別データに関連付けられ、かつ該検索用データに対応した個人用の場所の名称を示すデータを検索し、検索の結果、該当する個人用の場所の名称を示すデータが発見されない場合に、全利用者用の場所の名称を示すデータの中から、該識別データに関連付けられ、かつ該検索用データに対応した全利用者用の場所の名称を示すデータを検索することによって、場所の名称を示すデータを前記サーバ記憶部から取得することを特徴とする請求項５または６に記載の画像形成システム。
【請求項８】
画像形成装置と、該画像形成装置とネットワークを介して通信可能なサーバ装置とによって構成される画像形成システムであって、
前記サーバ装置は、
複数の人物の名前を示すデータがそれぞれ、その人物の顔の特徴を示すデータに関連付けられて記憶されるサーバ記憶部と、
前記画像形成装置から人物の顔の特徴を示すデータを受信すると、受信した人物の顔の特徴を示すデータに対応した人物の顔の特徴を示すデータに関連付けられている人物の名前を示すデータを前記サーバ記憶部から取得し、該画像形成装置へ送信するサーバ送信部とを備え、
前記画像形成装置は、
人物の顔が写されている撮影画像の画像データを含む画像ファイルが記憶される画像形成装置記憶部と、
前記画像ファイルの印刷指示が入力されると、その画像データに基づいて、撮影画像に含まれる人物の顔の特徴を示すデータを取得して、前記サーバ装置へ送信する画像形成装置送信部と、
前記サーバ装置から、前記画像形成装置送信部が送信した人物の顔の特徴を示すデータに応答して人物の名前を示すデータを取得すると、前記印刷指示の対象の画像ファイルに含まれる撮影画像の画像データに基づいて、該撮影画像を記録用紙の一方の面に印刷し、取得した人物の名前を示すデータに基づいて、該人物の名前を表す文字を、該記録用紙の他方の面に印刷する印刷部とを備えることを特徴とする画像形成システム。
【請求項９】
前記画像形成装置は、利用者を識別するための識別データを取得する識別データ取得部をさらに備え、
前記画像形成装置送信部は、前記識別データ取得部が識別データを取得すると、取得した識別データを、人物の顔の特徴を示すデータとともにサーバ送信部へ送信し、
前記サーバ記憶部に記憶される人物の名前を示すデータは、識別データがさらに関連付けられている個人用の人物の名前を示すデータと、識別データが関連付けられていない全利用者用の人物の名前を示すデータとに分類され、
前記サーバ送信部は、前記画像形成装置から受信した人物の顔の特徴を示すデータに識別データが伴っていると、複数の個人用の人物の名前を示すデータの中から、該識別データと、該人物の顔の特徴を示すデータに対応した人物の顔の特徴を示すデータとに関連付けられている個人用の人物の名前を示すデータを検索し、検索の結果、該当する個人用の人物の名前を示すデータが発見されない場合に、全利用者用の人物の名前を示すデータの中から、該識別データと、該人物の顔の特徴を示すデータに対応した人物の顔の特徴を示すデータとに関連付けられている全利用者用の人物の名前を示すデータを検索することによって、人物の名前を示すデータを前記サーバ記憶部から取得することを特徴とする請求項８に記載の画像形成システム。
【請求項１０】
前記画像ファイルは、前記撮影画像の画像の向きのデータが付加されて構成され、
前記サーバ装置は、前記画像ファイルの印刷指示が入力されると、その画像ファイルから、画像の向きのデータを取得する向きデータ取得部をさらに備え、
前記印刷部は、記録用紙の他方の面に前記文字を印刷する際に、前記向きデータ取得部が取得した画像の向きのデータに基づいて、該文字の上下が、該記録用紙の一方の面に印刷される撮影画像の画像の上下に一致するように印刷することを特徴とする請求項５〜９のいずれか１つに記載の画像形成システム。
【請求項１１】
複数の場所の名称を示すデータがそれぞれ、その場所の領域を示すデータに関連付けられて記憶されるとともに、撮影画像の画像データに、該撮影画像が撮影された地点の緯度および経度のデータが付加されて構成される画像ファイルが記憶される記憶部と、
前記画像ファイルの印刷指示が入力されると、その画像ファイルから、緯度および経度のデータを取得して、取得した緯度および経度のデータに対応した領域を示すデータに関連付けられている場所の名称を示すデータを、前記記憶部から取得する取得部と、
前記印刷指示の対象の画像ファイルに含まれる撮影画像の画像データに基づいて、該撮影画像を記録用紙の一方の面に印刷し、前記取得部が取得した場所の名称を示すデータに基づいて、該場所の名称を表す文字を、該記録用紙の他方の面に印刷する印刷部とを備えることを特徴とする画像形成装置。
【請求項１２】
複数の場所の名称を示すデータがそれぞれ、日時のデータ、ならびに、その場所の領域を示すデータに関連付けられて記憶されるとともに、撮影画像の画像データに、該撮影画像が撮影された日時、ならびに該撮影画像が撮影された地点の緯度および経度のデータが付加されて構成される画像ファイルが記憶される記憶部と、
前記画像ファイルの印刷指示が入力されると、その画像ファイルから、日時のデータならびに緯度および経度のデータを取得して、取得した日時のデータと、取得した緯度および経度のデータに対応した領域を示すデータとに関連付けられている場所の名称を示すデータを、前記記憶部から取得する取得部と、
前記印刷指示の対象の画像ファイルに含まれる撮影画像の画像データに基づいて、該撮影画像を記録用紙の一方の面に印刷し、前記取得部が取得した場所の名称を示すデータに基づいて、該場所の名称を表す文字を、該記録用紙の他方の面に印刷する印刷部とを備えることを特徴とする画像形成装置。
【請求項１３】
複数の人物の名前を示すデータがそれぞれ、その人物の顔の特徴を示すデータに関連付けられて記憶されるとともに、人物の顔が写されている撮影画像の画像データを含む画像ファイルが記憶される記憶部と、
前記画像ファイルの印刷指示が入力されると、その画像データに基づいて、撮影画像における人物の顔の特徴を示すデータを取得して、取得した人物の顔の特徴を示すデータに対応した人物の顔の特徴を示すデータに関連付けられている人物の名前を示すデータを、前記記憶部から取得する取得部と、
前記印刷指示の対象の画像ファイルに含まれる撮影画像の画像データに基づいて、該撮影画像を記録用紙の一方の面に印刷し、前記取得部が取得した人物の名前を示すデータに基づいて、該人物の名前を表す文字を、該記録用紙の他方の面に印刷する印刷部とを備えることを特徴とする画像形成装置。
【請求項１４】
画像ファイル記憶部に記憶される画像ファイルであって、撮影画像の画像データに、該撮影画像が撮影された地点の緯度および経度のデータが付加されて構成される画像ファイルの印刷指示が入力されると、その画像ファイルから、緯度および経度のデータを取得する第１工程と、
複数の場所の名称を示すデータがそれぞれ、その場所の領域を示すデータに関連付けられて記憶される記憶部から、前記第１工程で取得した緯度および経度のデータに対応した領域を示すデータに関連付けられている場所の名称を示すデータを取得する第２工程と、
前記印刷指示の対象の画像ファイルに含まれる撮影画像の画像データに基づいて、該撮影画像を記録用紙の一方の面に印刷し、前記第２工程で取得した場所の名称を示すデータに基づいて、該場所の名称を表す文字を、該記録用紙の他方の面に印刷する第３工程とを含むことを特徴とする画像形成方法。
【請求項１５】
画像ファイル記憶部に記憶される画像ファイルであって、撮影画像の画像データに、該撮影画像が撮影された日時、ならびに該撮影画像が撮影された地点の緯度および経度のデータが付加されて構成される画像ファイルの印刷指示が入力されると、その画像ファイルから、日時のデータならびに緯度および経度のデータを取得する第１工程と、
複数の場所の名称を示すデータがそれぞれ、日時のデータ、ならびに、その場所の領域を示すデータに関連付けられて記憶される記憶部から、前記第１工程で取得した日時のデータと、取得した緯度および経度のデータに対応した領域を示すデータとに関連付けられている場所の名称を示すデータを取得する第２工程と、
前記印刷指示の対象の画像ファイルに含まれる撮影画像の画像データに基づいて、該撮影画像を記録用紙の一方の面に印刷し、前記第２工程で取得した場所の名称を示すデータに基づいて、該場所の名称を表す文字を、該記録用紙の他方の面に印刷する第３工程とを含むことを特徴とする画像形成方法。
【請求項１６】
画像ファイル記憶部に記憶される画像ファイルであって、人物の顔が写されている撮影画像の画像データを含む画像ファイルの印刷指示が入力されると、その画像データに基づいて、撮影画像における人物の顔の特徴を示すデータを取得する第１工程と、
複数の人物の名前を示すデータがそれぞれ、その人物の顔の特徴を示すデータに関連付けられて記憶される記憶部から、前記第１工程で取得した人物の顔の特徴を示すデータに対応した人物の顔の特徴を示すデータに関連付けられている人物の名前を示すデータを取得する第２工程と、
前記印刷指示の対象の画像ファイルに含まれる撮影画像の画像データに基づいて、該撮影画像を記録用紙の一方の面に印刷し、前記第２工程で取得した人物の名前を示すデータに基づいて、該人物の名前を表す文字を、該記録用紙の他方の面に印刷する第３工程とを含むことを特徴とする画像形成方法。
【発明の詳細な説明】
【技術分野】
【０００１】
本発明は、画像形成装置、画像形成システムおよび画像形成方法に関する。
【背景技術】
【０００２】
従来から、デジタルカメラなどの撮像装置により撮影された撮影画像を、印画紙などの記録用紙に印刷する際に、その撮影画像が撮影されたときの撮影条件についての情報（たとえば、露出時間、Ｆナンバー、露光補正値など）を併せて印刷する技術が種々提案されている（たとえば、特許文献１〜３参照）。
【０００３】
近年、撮像装置によって作成される静止画像の画像ファイルには、その静止画像の画像データに、Ｅｘｉｆ（Exchangeable image file format）情報と呼ばれる、撮影条件などに関するメタデータが付加されるようになっており、上記の技術は、このＥｘｉｆ情報を用いることによって実現されている。
【０００４】
ところで、最近では、撮像装置にＧＰＳ（Global Positioning System）機能が搭載されたものが普及しており、このような撮像装置では、撮影された地点の緯度・経度情報をＧＰＳ情報としてＥｘｉｆ情報に記録するように構成されている。
【先行技術文献】
【特許文献】
【０００５】
【特許文献１】特開平１０−２１３８５６号公報
【特許文献２】特開２００７−８０２４７号公報
【特許文献３】特開２００３−１６９２７６号公報
【発明の概要】
【発明が解決しようとする課題】
【０００６】
特許文献１〜３に開示されている技術によれば、撮影画像の画像データに付加されている撮影条件についての情報がそのまま、記録用紙の裏面に印刷されるように構成されている。この場合、Ｅｘｉｆ情報にＧＰＳ情報が含まれていたとしても、記録用紙の裏面には、撮影画像が撮影された位置を示す情報として、緯度・経度を示す数値がそのまま印刷されることとなる。したがって、ユーザは、どのような場所あるいは場面で、その撮影画像が撮影されたのかを容易に把握することができず、利便性が悪い。
【０００７】
また、他の従来技術として、画像撮像機能およびＧＰＳ機能が搭載されたスマートフォンなどにおいて、撮影画像の画像データに付加されているＧＰＳ情報に基づいて、撮影画像が撮影された位置の住所を取得する機能が搭載されているものがある。この技術を特許文献１〜３に開示されている技術に適用することで、Ｅｘｉｆ情報に含まれるＧＰＳ情報に基づいて、撮影画像が撮影された位置の住所を記録用紙の裏面に印刷することは可能であるが、住所の表示だけでは、やはり、ユーザは、どのような場所あるいは場面で、その撮影画像が撮影されたのかを容易に把握することができず、利便性が悪い。
【０００８】
本発明の目的は、撮像装置によって撮影された撮影画像を印刷する際に、ユーザにとって利便性の高い情報を併せて印刷することができる画像形成装置、画像形成システムおよび画像形成方法を提供することである。
【課題を解決するための手段】
【０００９】
本発明は、複数の場所の名称を示すデータがそれぞれ、その場所の領域を示すデータに関連付けられて記憶される外部の装置とネットワークを介して通信可能に構成される画像形成装置であって、
撮影画像の画像データに、該撮影画像が撮影された地点の緯度および経度のデータが付加されて構成される画像ファイルが記憶される記憶部と、
前記画像ファイルの印刷指示が入力されると、その画像ファイルから、緯度および経度のデータを取得して、前記外部の装置へ送信する送信部と、
前記外部の装置から、前記送信部が送信した緯度および経度のデータに対応した領域を示すデータに関連付けられている場所の名称を示すデータを取得すると、前記印刷指示の対象の画像ファイルに含まれる撮影画像の画像データに基づいて、該撮影画像を記録用紙の一方の面に印刷し、取得した場所の名称を示すデータに基づいて、該場所の名称を表す文字を、該記録用紙の他方の面に印刷する印刷部とを備えることを特徴とする画像形成装置である。
【００１０】
また本発明は、複数の場所の名称を示すデータがそれぞれ、日時のデータ、ならびに、その場所の領域を示すデータに関連付けられて記憶される外部の装置とネットワークを介して通信可能に構成される画像形成装置であって、
撮影画像の画像データに、該撮影画像が撮影された日時のデータ、ならびに、該撮影画像が撮影された地点の緯度および経度のデータが付加されて構成される画像ファイルが記憶される記憶部と、
前記画像ファイルの印刷指示が入力されると、その画像ファイルから、日時のデータならびに緯度および経度のデータを取得して、前記外部の装置へ送信する送信部と、
前記外部の装置から、前記送信部が送信した日時のデータと、前記送信部が送信した緯度および経度のデータに対応した領域を示すデータとに関連付けられている場所の名称を示すデータを取得すると、前記印刷指示の対象の画像ファイルに含まれる撮影画像の画像データに基づいて、該撮影画像を記録用紙の一方の面に印刷し、取得した場所の名称を示すデータに基づいて、該場所の名称を表す文字を、該記録用紙の他方の面に印刷する印刷部とを備えることを特徴とする画像形成装置である。
【００１１】
また本発明は、複数の人物の名前を示すデータがそれぞれ、その人物の顔の特徴を示すデータに関連付けられて記憶される外部の装置とネットワークを介して通信可能に構成される画像形成装置であって、
人物の顔が写されている撮影画像の画像データを含む画像ファイルが記憶される記憶部と、
前記画像ファイルの印刷指示が入力されると、その画像データに基づいて、撮影画像に含まれる人物の顔の特徴を示すデータを取得して、前記外部の装置へ送信する送信部と、
前記外部の装置から、前記送信部が送信した人物の顔の特徴を示すデータに対応した人物の顔の特徴を示すデータに関連付けられている人物の名前を示すデータを取得すると、前記印刷指示の対象の画像ファイルに含まれる撮影画像の画像データに基づいて、該撮影画像を記録用紙の一方の面に印刷し、取得した人物の名前を示すデータに基づいて、該人物の名前を表す文字を、該記録用紙の他方の面に印刷する印刷部とを備えることを特徴とする画像形成装置である。
【００１２】
また本発明は、前記画像ファイルは、前記撮影画像の画像の向きのデータが付加されて構成され、
前記画像ファイルの印刷指示が入力されると、その画像ファイルから、画像の向きのデータを取得する取得部をさらに備え、
前記印刷部は、記録用紙の他方の面に前記文字を印刷する際に、前記取得部が取得した画像の向きのデータに基づいて、該文字の上下が、該記録用紙の一方の面に印刷される撮影画像の画像の上下に一致するように印刷することを特徴とする。
【００１３】
また本発明は、画像形成装置と、該画像形成装置とネットワークを介して通信可能なサーバ装置とによって構成される画像形成システムであって、
前記サーバ装置は、
複数の場所の名称を示すデータがそれぞれ、その場所の領域を示すデータに関連付けられて記憶されるサーバ記憶部と、
前記画像形成装置から緯度および経度のデータを受信すると、受信した緯度および経度のデータに対応した領域を示すデータに関連付けられている場所の名称を示すデータを前記サーバ記憶部から取得し、該画像形成装置へ送信するサーバ送信部とを備え、
前記画像形成装置は、
撮影画像の画像データに、該撮影画像が撮影された地点の緯度および経度のデータが付加されて構成される画像ファイルが記憶される画像形成装置記憶部と、
前記画像ファイルの印刷指示が入力されると、その画像ファイルから、緯度および経度のデータを取得して、取得した緯度および経度のデータを検索用データとして、前記サーバ装置へ送信する画像形成装置送信部と、
前記サーバ装置から、前記画像形成装置送信部が送信した検索用データに応答して場所の名称を示すデータを取得すると、前記印刷指示の対象の画像ファイルに含まれる撮影画像の画像データに基づいて、該撮影画像を記録用紙の一方の面に印刷し、取得した場所の名称を示すデータに基づいて、該場所の名称を表す文字を、該記録用紙の他方の面に印刷する印刷部とを備えることを特徴とする画像形成システムである。
【００１４】
また本発明は、画像形成装置と、該画像形成装置とネットワークを介して通信可能なサーバ装置とによって構成される画像形成システムであって、
前記サーバ装置は、
複数の場所の名称を示すデータがそれぞれ、日時のデータ、ならびに、その場所の領域を示すデータに関連付けられて記憶されるサーバ記憶部と、
前記画像形成装置から日時のデータならびに緯度および経度のデータを受信すると、受信した日時のデータと、受信した緯度および経度のデータに対応した領域を示すデータとに関連付けられている場所の名称を示すデータを前記サーバ記憶部から取得し、該画像形成装置へ送信するサーバ送信部とを備え、
前記画像形成装置は、
撮影画像の画像データに、該撮影画像が撮影された日時、ならびに該撮影画像が撮影された地点の緯度および経度のデータが付加されて構成される画像ファイルが記憶される画像形成装置記憶部と、
前記画像ファイルの印刷指示が入力されると、その画像ファイルから、日時のデータならびに緯度および経度のデータを取得して、取得した日時のデータならびに緯度および経度のデータを検索用データとして、前記サーバ装置へ送信する画像形成装置送信部と、
前記サーバ装置から、前記画像形成装置送信部が送信した検索用データに応答して場所の名称を示すデータを取得すると、前記印刷指示の対象の画像ファイルに含まれる撮影画像の画像データに基づいて、該撮影画像を記録用紙の一方の面に印刷し、取得した前記場所の名称を示すデータに基づいて、該場所の名称を表す文字を、該記録用紙の他方の面に印刷する印刷部とを備えることを特徴とする画像形成システムである。
【００１５】
また本発明は、前記画像形成装置は、利用者を識別するための識別データを取得する識別データ取得部をさらに備え、
前記画像形成装置送信部は、前記識別データ取得部が識別データを取得すると、取得した識別データを、検索用データとともにサーバ送信部へ送信し、
前記サーバ記憶部に記憶される場所の名称を示すデータは、識別データがさらに関連付けられている個人用の場所の名称を示すデータと、識別データが関連付けられていない全利用者用の場所の名称を示すデータとに分類され、
前記サーバ送信部は、前記画像形成装置から受信した検索用データに識別データが伴われていると、複数の個人用の場所の名称を示すデータの中から、該識別データに関連付けられ、かつ該検索用データに対応した個人用の場所の名称を示すデータを検索し、検索の結果、該当する個人用の場所の名称を示すデータが発見されない場合に、全利用者用の場所の名称を示すデータの中から、該識別データに関連付けられ、かつ該検索用データに対応した全利用者用の場所の名称を示すデータを検索することによって、場所の名称を示すデータを前記サーバ記憶部から取得することを特徴とする。
【００１６】
また本発明は、画像形成装置と、該画像形成装置とネットワークを介して通信可能なサーバ装置とによって構成される画像形成システムであって、
前記サーバ装置は、
複数の人物の名前を示すデータがそれぞれ、その人物の顔の特徴を示すデータに関連付けられて記憶されるサーバ記憶部と、
前記画像形成装置から人物の顔の特徴を示すデータを受信すると、受信した人物の顔の特徴を示すデータに対応した人物の顔の特徴を示すデータに関連付けられている人物の名前を示すデータを前記サーバ記憶部から取得し、該画像形成装置へ送信するサーバ送信部とを備え、
前記画像形成装置は、
人物の顔が写されている撮影画像の画像データを含む画像ファイルが記憶される画像形成装置記憶部と、
前記画像ファイルの印刷指示が入力されると、その画像データに基づいて、撮影画像に含まれる人物の顔の特徴を示すデータを取得して、前記サーバ装置へ送信する画像形成装置送信部と、
前記サーバ装置から、前記画像形成装置送信部が送信した人物の顔の特徴を示すデータに応答して人物の名前を示すデータを取得すると、前記印刷指示の対象の画像ファイルに含まれる撮影画像の画像データに基づいて、該撮影画像を記録用紙の一方の面に印刷し、取得した人物の名前を示すデータに基づいて、該人物の名前を表す文字を、該記録用紙の他方の面に印刷する印刷部とを備えることを特徴とする画像形成システムである。
【００１７】
また本発明は、前記画像形成装置は、利用者を識別するための識別データを取得する識別データ取得部をさらに備え、
前記画像形成装置送信部は、前記識別データ取得部が識別データを取得すると、取得した識別データを、人物の顔の特徴を示すデータとともにサーバ送信部へ送信し、
前記サーバ記憶部に記憶される人物の名前を示すデータは、識別データがさらに関連付けられている個人用の人物の名前を示すデータと、識別データが関連付けられていない全利用者用の人物の名前を示すデータとに分類され、
前記サーバ送信部は、前記画像形成装置から受信した人物の顔の特徴を示すデータに識別データが伴っていると、複数の個人用の人物の名前を示すデータの中から、該識別データと、該人物の顔の特徴を示すデータに対応した人物の顔の特徴を示すデータとに関連付けられている個人用の人物の名前を示すデータを検索し、検索の結果、該当する個人用の人物の名前を示すデータが発見されない場合に、全利用者用の人物の名前を示すデータの中から、該識別データと、該人物の顔の特徴を示すデータに対応した人物の顔の特徴を示すデータとに関連付けられている全利用者用の人物の名前を示すデータを検索することによって、人物の名前を示すデータを前記サーバ記憶部から取得することを特徴とする。
【００１８】
また本発明は、前記画像ファイルは、前記撮影画像の画像の向きのデータが付加されて構成され、
前記サーバ装置は、前記画像ファイルの印刷指示が入力されると、その画像ファイルから、画像の向きのデータを取得する向きデータ取得部をさらに備え、
前記印刷部は、記録用紙の他方の面に前記文字を印刷する際に、前記向きデータ取得部が取得した画像の向きのデータに基づいて、該文字の上下が、該記録用紙の一方の面に印刷される撮影画像の画像の上下に一致するように印刷することを特徴とする。
【００１９】
また本発明は、複数の場所の名称を示すデータがそれぞれ、その場所の領域を示すデータに関連付けられて記憶されるとともに、撮影画像の画像データに、該撮影画像が撮影された地点の緯度および経度のデータが付加されて構成される画像ファイルが記憶される記憶部と、
前記画像ファイルの印刷指示が入力されると、その画像ファイルから、緯度および経度のデータを取得して、取得した緯度および経度のデータに対応した領域を示すデータに関連付けられている場所の名称を示すデータを、前記記憶部から取得する取得部と、
前記印刷指示の対象の画像ファイルに含まれる撮影画像の画像データに基づいて、該撮影画像を記録用紙の一方の面に印刷し、前記取得部が取得した場所の名称を示すデータに基づいて、該場所の名称を表す文字を、該記録用紙の他方の面に印刷する印刷部とを備えることを特徴とする画像形成装置である。
【００２０】
また本発明は、複数の場所の名称を示すデータがそれぞれ、日時のデータ、ならびに、その場所の領域を示すデータに関連付けられて記憶されるとともに、撮影画像の画像データに、該撮影画像が撮影された日時、ならびに該撮影画像が撮影された地点の緯度および経度のデータが付加されて構成される画像ファイルが記憶される記憶部と、
前記画像ファイルの印刷指示が入力されると、その画像ファイルから、日時のデータならびに緯度および経度のデータを取得して、取得した日時のデータと、取得した緯度および経度のデータに対応した領域を示すデータとに関連付けられている場所の名称を示すデータを、前記記憶部から取得する取得部と、
前記印刷指示の対象の画像ファイルに含まれる撮影画像の画像データに基づいて、該撮影画像を記録用紙の一方の面に印刷し、前記取得部が取得した場所の名称を示すデータに基づいて、該場所の名称を表す文字を、該記録用紙の他方の面に印刷する印刷部とを備えることを特徴とする画像形成装置である。
【００２１】
また本発明は、複数の人物の名前を示すデータがそれぞれ、その人物の顔の特徴を示すデータに関連付けられて記憶されるとともに、人物の顔が写されている撮影画像の画像データを含む画像ファイルが記憶される記憶部と、
前記画像ファイルの印刷指示が入力されると、その画像データに基づいて、撮影画像における人物の顔の特徴を示すデータを取得して、取得した人物の顔の特徴を示すデータに対応した人物の顔の特徴を示すデータに関連付けられている人物の名前を示すデータを、前記記憶部から取得する取得部と、
前記印刷指示の対象の画像ファイルに含まれる撮影画像の画像データに基づいて、該撮影画像を記録用紙の一方の面に印刷し、前記取得部が取得した人物の名前を示すデータに基づいて、該人物の名前を表す文字を、該記録用紙の他方の面に印刷する印刷部とを備えることを特徴とする画像形成装置である。
【００２２】
また本発明は、画像ファイル記憶部に記憶される画像ファイルであって、撮影画像の画像データに、該撮影画像が撮影された地点の緯度および経度のデータが付加されて構成される画像ファイルの印刷指示が入力されると、その画像ファイルから、緯度および経度のデータを取得する第１工程と、
複数の場所の名称を示すデータがそれぞれ、その場所の領域を示すデータに関連付けられて記憶される記憶部から、前記第１工程で取得した緯度および経度のデータに対応した領域を示すデータに関連付けられている場所の名称を示すデータを取得する第２工程と、
前記印刷指示の対象の画像ファイルに含まれる撮影画像の画像データに基づいて、該撮影画像を記録用紙の一方の面に印刷し、前記第２工程で取得した場所の名称を示すデータに基づいて、該場所の名称を表す文字を、該記録用紙の他方の面に印刷する第３工程とを含むことを特徴とする画像形成方法である。
【００２３】
また本発明は、画像ファイル記憶部に記憶される画像ファイルであって、撮影画像の画像データに、該撮影画像が撮影された日時、ならびに該撮影画像が撮影された地点の緯度および経度のデータが付加されて構成される画像ファイルの印刷指示が入力されると、その画像ファイルから、日時のデータならびに緯度および経度のデータを取得する第１工程と、
複数の場所の名称を示すデータがそれぞれ、日時のデータ、ならびに、その場所の領域を示すデータに関連付けられて記憶される記憶部から、前記第１工程で取得した日時のデータと、取得した緯度および経度のデータに対応した領域を示すデータとに関連付けられている場所の名称を示すデータを取得する第２工程と、
前記印刷指示の対象の画像ファイルに含まれる撮影画像の画像データに基づいて、該撮影画像を記録用紙の一方の面に印刷し、前記第２工程で取得した場所の名称を示すデータに基づいて、該場所の名称を表す文字を、該記録用紙の他方の面に印刷する第３工程とを含むことを特徴とする画像形成方法である。
【００２４】
また本発明は、画像ファイル記憶部に記憶される画像ファイルであって、人物の顔が写されている撮影画像の画像データを含む画像ファイルの印刷指示が入力されると、その画像データに基づいて、撮影画像における人物の顔の特徴を示すデータを取得する第１工程と、
複数の人物の名前を示すデータがそれぞれ、その人物の顔の特徴を示すデータに関連付けられて記憶される記憶部から、前記第１工程で取得した人物の顔の特徴を示すデータに対応した人物の顔の特徴を示すデータに関連付けられている人物の名前を示すデータを取得する第２工程と、
前記印刷指示の対象の画像ファイルに含まれる撮影画像の画像データに基づいて、該撮影画像を記録用紙の一方の面に印刷し、前記第２工程で取得した人物の名前を示すデータに基づいて、該人物の名前を表す文字を、該記録用紙の他方の面に印刷する第３工程とを含むことを特徴とする画像形成方法である。
【発明の効果】
【００２５】
本発明によれば、撮像装置によって撮影された撮影画像を印刷する際に、ユーザにとって利便性の高い情報を併せて印刷することができる。
【図面の簡単な説明】
【００２６】
【図１】本発明の第１の実施形態に係る画像形成システム１の構成を示す図である。
【図２】画像形成システム１を構成する画像形成装置１０の構成を示すブロック図である。
【図３】画像形成システム１を構成する情報管理サーバ装置１１の構成を示すブロック図である。
【図４】情報管理サーバ装置１１のＨＤＤ４１に格納される検索用データベース４６の構成の一例を示す図である。
【図５】画像形成装置１０において実行される写真プリントに係る処理の処理手順を示すフローチャートである。
【図６】情報管理サーバ装置１１において実行される写真プリントに係る処理の処理手順を示すフローチャートである。
【図７】画像形成システム１による、裏面印刷サービスを利用した写真プリントの一例を示す図である。
【図８】本発明の第２の実施形態に係る画像形成システム１Ａを構成する情報管理サーバ装置１１ＡのＨＤＤ４１に格納される検索用データベース４６Ａの構成の一例を示す図である。
【図９Ａ】画像形成システム１Ａを構成する画像形成装置１０Ａにおいて実行される写真プリントに係る処理の処理手順を示すフローチャートである。
【図９Ｂ】画像形成システム１Ａを構成する画像形成装置１０Ａにおいて実行される写真プリントに係る処理の処理手順を示すフローチャートである。
【図１０】情報管理サーバ装置１１Ａにおいて実行される写真プリントに係る処理の処理手順を示すフローチャートである。
【図１１】本発明の第３の実施形態に係る画像形成システム１Ｂによる、裏面印刷サービスを利用した写真プリントの一例を示す図である。
【発明を実施するための形態】
【００２７】
（第１の実施形態）
図１は、本発明の第１の実施形態に係る画像形成システム１の構成を模式的に示す図である。本実施形態に係る画像形成システム１は、画像形成装置１０と、情報管理サーバ装置１１とを含んで構成され、画像形成装置１０と情報管理サーバ装置１１とは、ネットワーク５を介して相互に通信可能に接続されている。
【００２８】
画像形成装置１０は、本実施形態では、ジョブとして、プリント、コピー、スキャン、ＦＡＸ送受信などの複数のジョブを実行する機能を有するデジタル複合機（ＭＦＰ：Multifunction Printer）によって実現され、たとえばコンビニエンスストアなどの店舗に設置されて、利用者に対して、コピーサービス、ＦＡＸサービス、および写真プリントを含むプリントサービスなどの各種サービスを提供する。
【００２９】
ここで、写真プリントとは、デジタルカメラやカメラ付きの携帯電話およびスマートフォン（以下、総称して「撮像装置」と記す）で、撮影によって作成される静止画像の画像ファイル（以下、「写真画像ファイル」と称する）に基づいて、印画紙などの記録用紙に、撮影された静止画像（以下、「撮影画像」と称する）を印刷する処理のことである。
【００３０】
なお、以下の説明において、写真画像ファイルには、撮影画像の画像データの他に、付属情報としてＥｘｉｆ（Exchangeable image file format）情報が含まれているものとする。このＥｘｉｆ情報には、撮影された日付と時間とを示す情報（以下、「撮影日時情報」と称する）、画像の方向（Orientation）を示す情報（以下、「画像方向情報」と称する）、および、撮影条件に関する各種の情報（たとえば、露出時間、Ｆナンバー、露光補正値など）が含まれ、ＧＰＳ（Global Positioning System）が搭載されている撮像装置で作成される写真画像ファイルにおいては、さらに、撮影が行われた地点の緯度および経度を含むＧＰＳ情報が含まれる。
【００３１】
ここで、画像方向情報とは、画像データの行と列の観点から見た画像の方向を示す情報のことであり、具体的には、画像データの１行目および１列目が、目で見たときの画像の上下左右の何処に位置しているかを示す情報のことである。
【００３２】
たとえば、撮像装置を通常の姿勢に保持して撮影を行うと、画像データの１行目は、目で見たときの画像の上（Visual top）に位置し、画像データの１列目は、目で見たときの画像の左側（Visual left-hand side）に位置することとなり、この場合、画像方向情報は（上，左）となる。また、撮像装置を通常の姿勢から反時計回りに９０度回転させた姿勢に保持して撮影を行うと、画像データの１行目は、目で見たときの画像の左（Visual left-hand side）に位置し、画像データの１列目は、目で見たときの画像の下（Visual bottom）に位置することとなり、この場合、画像方向情報は（左，下）となる。
【００３３】
本実施形態に係る画像形成システム１は、画像形成装置１０において実行される写真プリントに特徴を有し、より詳細には、ＧＰＳ情報が含まれる写真画像ファイルを対象とする写真プリントに特徴を有している。
【００３４】
具体的には、画像形成システム１は、画像形成装置１０において、ＧＰＳ情報が含まれる写真画像ファイルに基づいて撮影画像を印刷する際に、その画像が撮影された場所の名称、および／または、その画像が撮影された場所で開催されていたイベントの名称（以下、これらを総称して「撮影場所名情報」と記し、参照符として６６を付して示す（図４参照））を、ネットワーク５を介して情報管理サーバ装置１１から取得し、記録用紙の一方側の主面である表面に、画像データに基づく撮影画像を印刷し、その記録用紙の他方側の主面である裏面に、情報管理サーバ装置１１から取得した撮影場所名情報６６を印刷可能に構築される。なお、画像形成装置１０および情報管理サーバ装置１１の具体的な構成、および各装置１０，１１において実行される処理の詳細については後述する。
【００３５】
ここで、写真プリントに係るプリントサービスのうち、前記のように、記録用紙の裏面に、撮影場所名情報６６のような、撮影画像に関する具体的な情報を印刷するサービスを、「裏面印刷サービス」と称することとする。この裏面印刷サービスを実現するために、本実施形態では、情報管理サーバ装置１１に、撮影画像に関する具体的な情報として、撮影場所名情報６６が予め登録されるものとする。
【００３６】
また、本実施形態では、この裏面印刷サービスを利用するためには、事前に登録を行う必要があるものとする。この事前登録は、たとえば、ネットワーク５を介して情報管理サーバ装置１１にアクセス可能な情報入力装置１２を利用して、あるいは、画像形成装置１０を利用して、ユーザＩＤ（ユーザ名）とパスワードとを含むユーザ情報を情報管理サーバ装置１１に送信することにより行われ、送信されたユーザ情報は、情報管理サーバ装置１１において、利用登録者のユーザ情報をデータベース化したユーザ認証用データベース４７により管理されるものとする。
【００３７】
情報入力装置１２は、ネットワーク５を介して情報管理サーバ装置１１にアクセス可能に構成されるものであればよく、たとえば、入力操作を受け付ける、キーボード、ポインティングデバイスおよびタッチパネルなどによって実現される操作部と、画像を表示可能な、ＬＣＤ（Liquid Crystal Display）などの表示装置によって実現される表示部と、ネットワーク５を介して情報管理サーバ装置１１と通信するためのインタフェースとして機能する通信部と、これらの各部を制御するとともに、各種の演算処理を実行する制御部とを備える装置によって実現される。このような装置としては、たとえば、ＰＣ（Personal Computer）であってもよく、スマートフォンであってもよい。
【００３８】
この情報入力装置１２は、情報管理サーバ装置１１に、撮影画像に関する具体的な情報（本実施形態では、撮影場所名情報６６）を登録するためにも用いられる。撮影画像に関する具体的な情報は、公に通用している情報と、個人に特有の情報とに分類することができ、情報入力装置１２は、裏面印刷サービスの利用登録者が、撮影画像に関する具体的な情報のうちの、自身に特有の情報を登録するために用いられる。
【００３９】
画像形成システム１において、画像形成装置１０と情報管理サーバ装置１１との間の通信に用いられるネットワーク５は、特に限定されず、たとえば、インターネット、イントラネット、エキストラネット、ＬＡＮ（Local Area Network）、ＩＳＤＮ（Integrated Services Digital Network）、ＶＡＮ（Value Added Network）、ＣＡＴＶ（Community Antenna Television）通信網、仮想専用網（virtual private network）、電話回線網、移動体通信網、あるいは衛星通信網等が利用可能である。
【００４０】
また、通信ネットワークを構成する伝送媒体としては、特に限定されず、たとえば、ＩＥＥＥ（Institute of Electrical and Electronic Engineers）１３９４、ＵＳＢ（Universal Serial Bus）、電力線搬送、ケーブルＴＶ回線、電話線、あるいはＡＤＳＬ（Asymmetric Digital Subscriber Line）回線等の有線でも、ＩｒＤＡ（Infrared Data Association）やリモートコントローラのような赤外線、Ｂｌｕｅｔｏｏｔｈ（登録商標）、８０２．１１無線、ＨＤＲ（High Data Rate）、携帯電話網、衛星回線、あるいは地上波デジタル網等の無線でも利用可能である。
【００４１】
なお、図１においては、画像形成システム１が、１台の画像形成装置１０と、１台の情報管理サーバ装置１１とによって構築されることが記載されているが、これに限らず、１台の情報管理サーバ装置１１と、その情報管理サーバ装置１１と通信可能な複数台の画像形成装置１０とによって、画像形成システムが構築されてもよい。
【００４２】
以下、本実施形態に係る画像形成システム１を構成する画像形成装置１０および情報管理サーバ装置１１の具体的な構成について、図２および図３を参照して説明する。
【００４３】
図２は、本実施形態に係る画像形成システム１を構成する画像形成装置１０の構成を示すブロック図である。画像形成装置１０は、制御部２０と、ＨＤＤ（Hard Disk Drive）２１と、外部メモリ接続部２２と、操作部２３と、表示部２４と、スキャナ部２５と、画像形成部２６と、通信部２７と、電源制御部２８とを含んで構成される。
【００４４】
画像形成装置１０は、上記の各部２０〜２８の他に、図示しないが、ＦＡＸ送受信のジョブを実行するための構成として、公衆電話回線網の閉結および開放を制御する回線制御を行なうとともに、公衆電話回線網に接続される通信相手先の外部装置を呼出すために、通信相手先のＦＡＸ番号に応じたダイヤル信号を通信相手に対して送出する回線制御部、通信相手に対して送信するためのデジタルデータをアナログデータに変換して前記回線制御部を介して公衆電話回線網に送出し、また、通信相手から前記回線制御部を介して受信したアナログデータをデジタルデータに変換して復調するモデム、および、公衆電話回線網に接続される外部装置からの呼出信号を検出するＣＩ（Calling Indicator）検出部を含んで構成される。
【００４５】
制御部２０は、実質的にコンピュータであって、ＣＰＵ（Central Processing Unit）３１と、ＲＯＭ（Read Only Memory）３２と、ＲＡＭ（Random Access Memory）３３とを含んで構成される。
【００４６】
ＣＰＵ３１には、ＢＵＳライン２９が接続されており、ＲＯＭ３２およびＲＡＭ３３は、このＢＵＳライン２９に電気的に接続される。ＣＰＵ３１は、操作部２３などから与えられる指示に応答して各種のコンピュータプログラムを実行することによって、画像形成装置１０の各部の動作を制御し、また、通信部２７を介して、情報管理サーバ装置１１との通信処理を実行する。この各種のコンピュータプログラムは、予めＲＯＭ３２またはＨＤＤ２１に記憶されており、各種の処理の実行時に、ＲＯＭ３２またはＨＤＤ２１から読出されて、ＲＡＭ３３に転送される。
【００４７】
ＣＰＵ３１は、ＣＰＵ３１内の図示しないプログラムカウンタと呼ばれるレジスタに格納された値によって指定される、ＲＡＭ３３内のアドレスからプログラムの命令を読出し、解釈する。ＣＰＵ３１はまた、読出された命令によって指定されるアドレスから演算に必要なデータを読出し、そのデータに対し命令に対応する演算を実行する。実行の結果も、ＲＡＭ３３、ＨＤＤ２１およびＣＰＵ３１内のレジスタなどの、命令によって指定されるアドレスに格納される。
【００４８】
ＢＵＳライン２９には、さらに、ＨＤＤ２１と、外部メモリ接続部２２と、操作部２３と、表示部２４と、スキャナ部２５と、画像形成部２６と、通信部２７と、電源制御部２８とが電気的に接続される。
【００４９】
ＨＤＤ２１は、磁気記憶媒体を備える記憶装置であり、上記の各種のコンピュータプログラムが記憶される。また、ＨＤＤ２１には、通信部２７を介してネットワーク５経由で外部装置から受信した、写真プリントの対象となる写真画像ファイルが記憶される。
【００５０】
また、本実施形態では、後述するように、画像形成装置１０において、裏面印刷サービスについてのユーザ認証が実行されるように構成されるので、ＨＤＤ２１には、ユーザ認証用データベース４７が記憶される。このユーザ認証用データベース４７は、たとえば、情報管理サーバ装置１１から定期的にネットワーク５を介して取得されて更新される。
【００５１】
外部メモリ接続部２２には、携帯型の記録媒体である各種携帯型メディアを着脱可能なメディア装着部が設けられる。メディア装着部には、メモリカードのような、外形サイズが規格化された携帯型メディアが挿入されるスロットが設けられ、そのスロットには、スロット内に挿入された携帯型メディアと電気的に接続されるメモリ接続部が備えられる。また、メディア接続部には、外形サイズが規定されていない携帯型メディアであるＵＳＢメモリと電気的に接続されるＵＳＢ接続部も備えられる。ＵＳＢ接続部は、ＵＳＢメモリのＵＳＢコネクタが接続される接続端子から成る。この外部メモリ接続部２２に携帯型メディアを接続することで、その携帯型メディアに記憶されている写真画像ファイルが読み出し可能となる。すなわち、本発明に係る、画像ファイルが記憶される記憶部は、写真画像ファイルが予め記憶されたＨＤＤ２１、および／または、写真画像ファイルが記憶された携帯型メディアが接続された外部メモリ接続部２２によって構成される。
【００５２】
操作部２３と表示部２４とは、画像形成装置１０に備えられる操作パネルに設けられる。表示部２４は、画面表示可能に構成され、たとえばＬＣＤや有機ＥＬ（Electro-Luminescence）ディスプレイなどの表示装置によって実現される。
【００５３】
操作部２３は、入力操作を受け付ける入力装置であり、各種のハードキーと、抵抗膜方式または静電容量方式など、周知の方式を用いたタッチパネルとを含んで構成される。各種のハードキーには、通信相手先のＦＡＸ番号およびコピー枚数などの設定値などを入力するためのテンキー、画像形成装置１０の電源オンおよび電源オフを指示するための電源キー、各種のジョブの開始を指示するためのスタートキー、ならびに、画像形成装置１０の初期化などの機能を利用するためのシステム設定キーなどのキーが含まれる。
【００５４】
タッチパネルは、表示部２４に積重することによって搭載されてもよく、表示部２４に内蔵されてもよい。このタッチパネルと表示部２４とにより、利用者に対して対話的な操作インタフェースを提供する。
【００５５】
操作部２３は、各種のハードキーまたはタッチパネルに対する入力操作により、画像形成装置１０の動作に対する利用者の指示を受け付けると、その指示に応じた制御信号を制御部２０に対して出力し、これに応じて、表示部２４には、その指示の内容に応じた予め定める画面が表示される。
【００５６】
スキャナ部２５は、光源を含む原稿走査ユニット、反射ミラー、光学レンズおよびＣＣＤ（Charge-Coupled Device）ラインセンサを含んで構成され、原稿載置台上に載置された原稿画像を読み取り、原稿画像の画像データを作成する。
【００５７】
画像形成部２６は、スキャナ部２５から入力される原稿画像の画像データ、あるいは、ＨＤＤ２１に記憶されている写真画像ファイルに含まれる撮影画像の画像データ、あるいは、外部メモリ接続部２２に接続されている携帯型メディアから読み出された写真画像ファイルに含まれる撮影画像の画像データに、各種のデータ処理を施して印刷処理を行う。
【００５８】
画像形成部２６は、画像を記録用紙に印刷するために、たとえば、感光体ドラム、帯電装置、レーザスキャンユニット、現像装置、転写装置、クリーニング装置、定着装置、および除電装置などを備えて構成される。画像形成部２６には、たとえば、搬送路が設けられており、給紙部から給紙されてきた記録用紙が搬送路に沿って搬送される。給紙部は、給紙トレイに収納された記録用紙を１枚ずつ引出して記録用紙を画像形成部２６の搬送路へと送り出す。
【００５９】
画像形成部２６の搬送路に沿って記録用紙が搬送されている途中で、記録用紙が感光体ドラムと転写装置との間を通過し、さらに定着装置を通過して、記録用紙に対する印刷が行なわれる。
【００６０】
感光体ドラムは、一方向に回転し、その表面は、クリーニング装置と除電装置によりクリーニングされた後、帯電装置により均一に帯電される。レーザスキャンユニットは、印刷対象の画像データに基づいてレーザ光を変調し、このレーザ光によって感光体ドラムの表面を主走査方向に繰り返し走査して、静電潜像を感光体ドラムの表面に形成する。現像装置は、トナーを感光体ドラムの表面に供給して静電潜像を現像し、トナー像を感光体ドラムの表面に形成する。
【００６１】
転写装置は、転写装置と感光体ドラムとの間を通過していく記録用紙に感光体ドラムの表面のトナー像を転写する。定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、排紙トレイに排出される。なお、画像形成部２６は、記録用紙に対して、両面印刷可能に構成されているものとする。
【００６２】
通信部２７は、ネットワーク５を介して外部装置と通信するためのインタフェースとして機能し、たとえばＬＡＮインタフェース（ＬＡＮ  Ｉ／Ｆ）を含んで構成される。画像形成装置１０は、この通信部２７を介して、情報管理サーバ装置１１を含む、ネットワーク５上の各種の外部装置と、所定の通信プロトコルに従ったデータ通信を実現する。
【００６３】
電源制御部２８は、外部電源３０と電気的に接続される。電源制御部２８は、画像形成装置１０の各部の動作に必要な電力を外部電源３０から取得し、取得した電力を画像形成装置１０の各部に供給する。
【００６４】
図３は、本実施形態に係る画像形成システム１を構成する情報管理サーバ装置１１の構成を示すブロック図である。情報管理サーバ装置１１は、制御部４０と、ＨＤＤ４１と、操作部４２と、表示部４３と、通信部４４とを含んで構成され、たとえばＰＣサーバによって実現される。
【００６５】
制御部４０は、実質的にコンピュータであって、ＣＰＵ５１と、ＲＯＭ５２と、ＲＡＭ５３とを含んで構成される。
【００６６】
ＣＰＵ５１には、ＢＵＳライン４５が接続されており、ＲＯＭ５２およびＲＡＭ５３は、このＢＵＳライン４５に電気的に接続される。ＣＰＵ５１は、画像形成装置１０および情報入力装置１２などの外部装置または操作部４２などから与えられる指示に応答して各種のコンピュータプログラムを実行することによって、情報管理サーバ装置１１の各部の動作を制御し、また、通信部４４を介して、その外部装置との通信処理を実行する。この各種のコンピュータプログラムは、予めＲＯＭ５２またはＨＤＤ４１に記憶されており、各種の処理の実行時に、ＲＯＭ５２またはＨＤＤ４１から読出されて、ＲＡＭ５３に転送される。
【００６７】
ＣＰＵ５１は、ＣＰＵ５１内の図示しないプログラムカウンタと呼ばれるレジスタに格納された値によって指定される、ＲＡＭ５３内のアドレスからプログラムの命令を読出し、解釈する。ＣＰＵ５１はまた、読出された命令によって指定されるアドレスから演算に必要なデータを読出し、そのデータに対し命令に対応する演算を実行する。実行の結果も、ＲＡＭ５３、ＨＤＤ４１およびＣＰＵ５１内のレジスタなどの、命令によって指定されるアドレスに格納される。
【００６８】
ＢＵＳライン４５には、さらに、ＨＤＤ４１、操作部４２、表示部４３、および、通信部４４が電気的に接続される。
【００６９】
ＨＤＤ４１は、磁気記憶媒体を備える記憶装置であり、情報管理サーバ装置１１の動作を実現するための上記の各種のコンピュータプログラムが記憶されるとともに、本実施形態では、ＧＰＳ情報に基づいて、そのＧＰＳ情報に含まれる緯度および経度が示す地点の住所を求めることが可能なコンピュータプログラムが記憶される。
【００７０】
また、ＨＤＤ４１には、前述のユーザ認証用データベース４７が記憶される。さらに、ＨＤＤ４１には、情報入力装置１２によってあるいは操作部４２を介して、予め登録される撮影場所名情報６６を一括して管理するための検索用データベース４６が記憶される。検索用データベース４６の詳細については後述する。
【００７１】
操作部４２は、入力操作を受け付ける入力装置であり、キーボード、および、マウスなどのポインティングデバイスによって実現され、インタフェースを介してＢＵＳライン４５と接続される。
【００７２】
表示部４３は、画面表示可能に構成され、たとえばＬＣＤや有機ＥＬディスプレイなどの表示装置によって実現される。表示部４３は、表示部４３を駆動させるためのビデオ回路を介してＢＵＳライン４５と接続される。
【００７３】
通信部４４は、ネットワーク５を介して外部装置と通信するためのインタフェースとして機能し、たとえばＬＡＮインタフェース（ＬＡＮ  Ｉ／Ｆ）を含んで構成される。情報管理サーバ装置１１は、この通信部４４を介して、画像形成装置１０および情報入力装置１２を含む、ネットワーク５上の各種の外部装置と、所定の通信プロトコルに従ったデータ通信を実現する。
【００７４】
また、図示しないが、情報管理サーバ装置１１には、外部電源と電気的に接続される電源制御部が設けられ、この電源制御部が、情報管理サーバ装置１１の各部の動作に必要な電力を外部電源から取得し、取得した電力を情報管理サーバ装置１１の各部に供給する。
【００７５】
図４は、情報管理サーバ装置１１のＨＤＤ４１に格納される検索用データベース４６の構成の一例を示す図である。検索用データベース４６には、複数の撮影場所検索用情報６０が格納される。
【００７６】
一の撮影場所検索用情報６０は、使用対象者情報６１、種別情報６２、開始日時情報６３、終了日時情報６４、領域情報６５、および撮影場所名情報６６を含んで構成される。
【００７７】
撮影場所検索用情報６０に含まれる使用対象者情報６１は、裏面印刷サービスの利用登録者のうち、その撮影場所検索用情報６０を利用可能な利用登録者を限定するために用いられる情報である。
【００７８】
ここで、撮影場所検索用情報６０に含まれる撮影場所名情報６６は、前記のように、公に通用している情報と、個人に特有の情報とに分類することができ、撮影場所名情報６６が公に通用している情報である場合には、その撮影場所検索用情報６０に含まれる使用対象者情報６１は、裏面印刷サービスの利用登録者の全てが利用可能とされる。この場合、使用対象者情報６１には、利用登録者の全てが利用可能であることを示す「全ユーザ」が格納される。
【００７９】
一方、撮影場所名情報６６が個人に特有の情報である場合には、その撮影場所検索用情報６０に含まれる使用対象者情報６１は、その個人に相当する利用登録者にのみ利用可能とされる。この場合、使用対象者情報６１には、その利用登録者のユーザ情報に含まれるユーザＩＤが格納される。
【００８０】
撮影場所検索用情報６０に含まれる種別情報６２は、その撮影場所検索用情報６０に含まれる撮影場所名情報６６が、画像が撮影された場所の名称を示しているのか、画像が撮影された場所で開催されていたイベントの名称を示しているのかを区分するための情報であり、本実施形態では、前者の場合、種別情報６２には「地名」が格納され、後者の場合、種別情報６２には「イベント」が格納される。
【００８１】
撮影場所検索用情報６０に含まれる開始日時情報６３および終了日時情報６４は、その撮影場所検索用情報６０の有効期間の始点および終点を示す情報であり、それぞれ日付と時間とを示す情報が格納される。なお、有効期間の終点が未だ定まっていない場合には、終了日時情報６４には、その旨を示す「未定」が格納される。終了日時情報６４に「未定」が格納されている撮影場所検索用情報６０の有効期間は、開始日時情報１４３で表される日時から現時点までの期間となる。
【００８２】
撮影場所検索用情報６０に含まれる領域情報６５は、緯度および経度を用いて特定される、地球上のある領域を表した情報であり、この領域情報６５には、その撮影場所検索用情報６０に含まれる撮影場所名情報６６が示す場所を特定する領域、あるいは、撮影場所名情報６６が示すイベントが行われていた場所を特定する領域、を表した情報が格納される。領域情報６５は、たとえば、図４に示すように、２地点の緯度および経度によって規定される。この場合、領域情報６５によって表される領域は、その２地点を対角とする略矩形状の領域となる。
【００８３】
撮影場所検索用情報６０に含まれる撮影場所名情報６６には、前記のように、画像が撮影された場所の名称、あるいは画像が撮影された場所で開催されていたイベントの名称が格納される。
【００８４】
撮影場所名情報６６が、「○○株式会社」、「東京駅」および「奈良公園」などのように公に通用している施設や場所の名称である場合には、Ｎｏ．１の撮影場所検索用情報６０のように、使用対象者情報６１には「全ユーザ」が格納され、種別情報６２には「地名」が格納される。また、撮影場所名情報６６が、「△△花火大会」、「祇園祭」および「□□のコンサート」などのように公に通用しているイベントの名称である場合には、Ｎｏ．２の撮影場所検索用情報６０のように、使用対象者情報６１には「全ユーザ」が格納され、種別情報６２には「イベント」が格納される。
【００８５】
また、撮影場所名情報６６が、「自宅」、「会社」、「友人Ｍ宅」および「実家」などのように個人に特有の施設や場所の名称である場合には、Ｎｏ．１００１，１００２の撮影場所検索用情報６０のように、使用対象者情報６１には、その個人に相当する利用登録者のユーザＩＤが格納され、種別情報６２には「地名」が格納される。また、撮影場所名情報６６が、「息子の誕生会」、「友人Ｎの結婚式」および「北海道旅行」などのように個人に特有のイベントの名称である場合には、Ｎｏ．１００３の撮影場所検索用情報６０のように、使用対象者情報６１には、その個人に相当する利用登録者のユーザＩＤが格納され、種別情報６２には「イベント」が格納される。
【００８６】
撮影場所検索用情報６０のうち、Ｎｏ．１，２の撮影場所検索用情報６０のように、撮影場所名情報６６が公に通用している名称であるものについては、たとえば、裏面印刷サービスを提供する者あるいは情報管理サーバ装置１１の管理者によって、情報管理サーバ装置１１に、その操作部４２を介して直接登録される。
【００８７】
また、撮影場所検索用情報６０のうち、Ｎｏ．１００１〜１００３の撮影場所検索用情報６０のように、撮影場所名情報６６が個人に特有の名称であるものについては、前記のように、裏面印刷サービスの利用登録者によって、情報入力装置１２を用いてネットワーク５を介して登録される。
【００８８】
以下、画像形成装置１０において写真プリントが実行される場合の、画像形成装置１０および情報管理サーバ装置１１の動作を、図５および図６を参照して説明する。図５は、画像形成装置１０において実行される写真プリントに係る処理の処理手順を示すフローチャートである。図６は、情報管理サーバ装置１１において実行される写真プリントに係る処理の処理手順を示すフローチャートである。
【００８９】
写真プリントに係るプリントサービスを利用しようとする利用者が、画像形成装置１０の操作部２３を操作することにより、写真プリントモードへ移行すると、処理が開始されてステップｓ１に進む。
【００９０】
ステップｓ１で、ＣＰＵ３１は、ユーザ認証処理を実行する。具体的には、ＣＰＵ３１は、ユーザ情報、すなわちユーザＩＤおよびパスワードの入力を要求する画面を、表示部２４に表示させる。そして、利用者により、操作部２３を介して、ユーザ情報の入力が行われると、ＣＰＵ３１は、ＨＤＤ２１に記憶されているユーザ認証用データベース４７を参照し、入力されたユーザ情報に一致するユーザ情報が有れば、その利用者は、裏面印刷サービスの利用登録者であると判断し、入力されたユーザ情報に一致するユーザ情報が無ければ、その利用者は、裏面印刷サービスの利用登録者でないと判断し、ステップｓ２に進む。
【００９１】
なお、本実施形態では、画像形成装置１０において、ユーザ認証処理が実行されるように構成されているが、他の実施形態では、情報管理サーバ装置１１において、ユーザ認証処理が実行されてもよい。この場合には、ＣＰＵ３１は、入力されたユーザ情報を、ネットワーク５を介して情報管理サーバ装置１１へ送信し、情報管理サーバ装置１１において、その利用者が、裏面印刷サービスの利用登録者であるか否かが判断された後、その判断結果を、通信部２７を介して情報管理サーバ装置１１から受け取るように構成される。
【００９２】
ステップｓ２で、ＣＰＵ３１は、写真プリントの対象の写真画像ファイルを利用者に選択させるための画面を、表示部２４に表示させる。たとえば、ＣＰＵ３１は、写真プリントの対象の写真画像ファイルが記憶されている場所を利用者に選択させるための画面を、先ず表示部２４に表示させ、利用者によって一の場所、たとえば外部メモリ接続部２２のメモリ接続部に接続されているメモリカードが選択されると、そのメモリカードに記憶されている写真画像ファイルの一覧を表示部２４に表示させる。そして、利用者により、操作部２３を介して、一または複数の写真画像ファイルが選択されると、ステップｓ３に進む。
【００９３】
ステップｓ３で、ステップｓ１における判断において、その利用者が、裏面印刷サービスの利用登録者である場合、すなわちユーザ認証できた場合には、ステップｓ４に進み、裏面印刷サービスの利用登録者ではない場合、すなわちユーザ認証できなかった場合には、ステップｓ１５に進む。
【００９４】
ステップｓ４で、ＣＰＵ３１は、ステップｓ２で選択された写真画像ファイルに含まれているＥｘｉｆ情報に、ＧＰＳ情報が含まれているか否かを判断する。ＧＰＳ情報が含まれている場合には、ステップｓ５に進み、ＧＰＳ情報が含まれていない場合には、ステップｓ１５に進む。
【００９５】
ステップｓ５で、ＣＰＵ３１は、ステップｓ２で選択された写真画像ファイルに含まれているＥｘｉｆ情報から、ＧＰＳ情報と、撮影日時情報と、画像方向情報とを取得し、ステップｓ６に進む。
【００９６】
ステップｓ６で、ＣＰＵ３１は、ステップｓ５で取得したＧＰＳ情報および撮影日時情報と、ステップｓ１で利用者により入力されたユーザ情報に含まれるユーザＩＤとを、ネットワーク５を介して情報管理サーバ装置１１へ送信することによって、撮影場所名情報６６の提供を要求し、ステップｓ７に進む。
【００９７】
ここで、図６を参照して、情報管理サーバ装置１１において実行される処理について説明する。情報管理サーバ装置１１が、撮影場所名情報６６の提供の要求を受け付け可能な状態において処理が開始され、ステップｓ２１で、ＣＰＵ５１は、ネットワーク５を介して画像形成装置１０から撮影場所名情報６６の提供の要求を受け付けたか否かを判断し、要求を受け付けた場合にのみ、ステップｓ２２に進む。
【００９８】
ステップｓ２２で、ＣＰＵ５１は、要求を受け付けた際に併せて受信したＧＰＳ情報に基づいて、そのＧＰＳ情報に含まれる緯度および経度が示す地点の住所、すなわち画像が撮影された地点の住所を求め、ステップｓ２３に進む。
【００９９】
ステップｓ２３で、ＣＰＵ５１は、ＨＤＤ４１に記憶される検索用データベース４６を参照し、検索用データベース４６に格納されている複数の撮影場所検索用情報６０の中に、要求を受け付けた際に併せて受信したユーザＩＤと一致している使用対象者情報６１を含む撮影場所検索用情報６０が有るか無いかを判断する。有りと判断されるとステップｓ２４に進み、無しと判断されるとステップｓ２５に進む。
【０１００】
ステップｓ２４で、ＣＰＵ５１は、ユーザＩＤと一致している使用対象者情報６１を含む一または複数の撮影場所検索用情報６０の中から、要求を受け付けた際に併せて受信した撮影日時情報が示す日時が、開始日時情報６３と終了日時情報６４とによって規定される有効期間内であり、かつ、要求を受け付けた際に併せて受信したＧＰＳ情報に含まれる緯度および経度が示す地点が、領域情報６５によって表される領域内に含まれる撮影場所検索用情報６０を検索する。検索の結果、条件に当てはまる撮影場所検索用情報６０が発見された場合には、ステップｓ２６に進み、条件に当てはまる撮影場所検索用情報６０が発見されなかった場合には、ステップｓ２５に進む。
【０１０１】
ステップｓ２５で、ＣＰＵ５１は、裏面印刷サービスの利用登録者の全てが利用可能とされる撮影場所検索用情報６０、換言すれば、使用対象者情報６１に「全ユーザ」が格納されている撮影場所検索用情報６０の中から、前記と同様に、要求を受け付けた際に併せて受信した撮影日時情報が示す日時が、開始日時情報６３と終了日時情報６４とによって規定される有効期間内であり、かつ、要求を受け付けた際に併せて受信したＧＰＳ情報に含まれる緯度および経度が示す地点が、領域情報６５によって表される領域内に含まれる撮影場所検索用情報６０を検索する。検索の結果、条件に当てはまる撮影場所検索用情報６０が発見された場合には、ステップｓ２６に進み、条件に当てはまる撮影場所検索用情報６０が発見されなかった場合には、ステップｓ２７に進む。
【０１０２】
ステップｓ２６で、ＣＰＵ５１は、条件に当てはまる撮影場所検索用情報６０と、ステップｓ２２で求めた住所の情報とを、ネットワーク５を介して、撮影場所名情報６６の提供を要求してきた画像形成装置１０へ送信し、処理を終了する。
【０１０３】
ステップｓ２７で、ＣＰＵ５１は、条件に当てはまる撮影場所検索用情報６０が存在しなかった旨の情報と、ステップｓ２２で求めた住所の情報とを、ネットワーク５を介して、撮影場所名情報６６の提供を要求してきた画像形成装置１０へ送信し、処理を終了する。
【０１０４】
再び、図５を参照して、ステップｓ７で、ＣＰＵ３１は、撮影場所名情報６６の提供の要求に対して、情報管理サーバ装置１１からの応答を受信したか否かを判断し、応答を受信した場合にのみ、ステップｓ８に進む。
【０１０５】
ステップｓ８で、ＣＰＵ３１は、受信した応答内容を解析し、撮影場所名情報６６が含まれている場合には、ステップｓ９に進み、撮影場所名情報６６が含まれていない場合、換言すれば、条件に当てはまる撮影場所検索用情報６０が存在しなかった旨の情報を受信した場合には、ステップｓ１２に進む。
【０１０６】
ステップｓ９で、ＣＰＵ３１は、受信した撮影場所検索用情報６０に含まれる撮影場所名情報６６が正しい情報であるか否かを利用者に確認させるための確認画面を、表示部２４に表示させ、ステップｓ１０に進む。なお、この確認画面には、撮影場所名情報６６を修正する処理に移行するための修正ボタンと、撮影場所名情報６６が正しい情報であることを確定するための確定ボタンとが設けられる。
【０１０７】
ステップｓ１０で、ＣＰＵ３１は、操作部２３におけるタッチパネルを介して、いずれのボタンが操作されたかを判断する。修正ボタンが操作された場合には、ステップｓ１１に進み、確定ボタンが操作された場合には、ステップｓ１３に進む。
【０１０８】
ステップｓ１１で、ＣＰＵ３１は、撮影場所名情報６６を利用者に修正させるための修正用画面を、表示部２４に表示させる。この修正用画面には、受信した撮影場所検索用情報６０に含まれる撮影場所名情報６６が編集可能に表示されるとともに、修正内容を確定するための確定ボタンが設けられ、確定ボタンが操作されると、ステップｓ１３に進む。
【０１０９】
ステップｓ１２で、ＣＰＵ３１は、条件に当てはまる撮影場所検索用情報６０が存在しなかった旨の情報とともに、撮影場所名情報６６を利用者に入力させるための入力用画面を、表示部２４に表示させる。この入力用画面には、撮影場所名情報６６の入力欄とともに、入力内容を確定するための確定ボタンが設けられ、確定ボタンが操作されると、ステップｓ１３に進む。
【０１１０】
ステップｓ１３で、ＣＰＵ３１は、ステップｓ２で選択された写真画像ファイルに含まれる撮影画像の画像データに基づいて、記録用紙の一方の主面である表面にその撮影画像が印刷されるように、画像形成部２６を制御する。記録用紙の表面に撮影画像が印刷されると、ステップｓ１４に進む。
【０１１１】
ステップｓ１４で、ＣＰＵ３１は、ステップｓ５で取得された撮影日時情報と、情報管理サーバ装置１１から受信した応答内容に含まれる住所の情報と、ステップｓ１０で確定された内容の撮影場所名情報６６、あるいは、ステップｓ１１で修正された内容の撮影場所名情報６６、あるいは、ステップｓ１２で入力された内容の撮影場所名情報６６とに基づいて、ステップｓ１３で撮影画像が印刷された記録用紙の他方の主面である裏面に、これらの情報を表す文字が印刷されるように、画像形成部２６を制御する。
【０１１２】
このとき、ＣＰＵ３１は、ステップｓ５で取得された画像方向情報に基づいて、画像が撮影された日時、画像が撮影された地点の住所、および撮影場所名情報６６を表す文字が、表面に印刷される撮影画像の向きと同じ向きで裏面に印刷されるように、画像形成部２６を制御する。すなわち、画像形成部２６は、表面に印刷される撮影画像を目で見たときの上下と、裏面に印刷される日時、住所および撮影場所名情報６６を表す文字を目で見たときの上下とが一致するように制御される。記録用紙の裏面に、日時、住所および撮影場所名情報６６を表す文字が印刷されると、処理を終了する。
【０１１３】
なお、本実施形態では、種別情報６２が「地名」である撮影場所検索用情報６０を情報管理サーバ装置１１から受信した場合には、情報管理サーバ装置１１から受信した応答内容に含まれる住所は印刷されないようにされる。これは、種別情報６２が「地名」である撮影場所検索用情報６０に含まれる撮影場所名情報６６と、情報管理サーバ装置１１から受信した応答内容に含まれる住所とは、情報の種類が同じであり、撮影場所名情報６６の方が、具体的な情報であって、住所よりも重要度の高い情報であるためである。
【０１１４】
ステップｓ１５で、ＣＰＵ３１は、ステップｓ２で選択された写真画像ファイルに含まれる撮影画像の画像データに基づいて、記録用紙の一方の主面である表面にその撮影画像が印刷されるように、画像形成部２６を制御する。記録用紙の表面に撮影画像が印刷されると、処理を終了する。この場合には、記録用紙の表面に撮影画像が印刷されるだけで、記録用紙の裏面には印刷はされない。
【０１１５】
図７は、本実施形態に係る画像形成システム１による、裏面印刷サービスを利用した写真プリントの一例を示す図である。図７（ａ）は、撮影画像７０が印刷された記録用紙７１の表面７１ａを示す図であり、図７（ｂ）は、撮影画像７０の画像データを含む写真画像ファイルに含まれるＥｘｉｆ情報７２の一部を示す図であり、図７（ｃ）は、記録用紙７１の裏面７１ｂを示す図である。なお、図７（ａ）では、矩形状の記録用紙７１の４つの縁辺に、参照符７３〜７６をそれぞれ付し、図７（ｃ）では、図７（ａ）における４つの縁辺７３〜７６に対応する縁辺に、同一の参照符を付して示している。
【０１１６】
図７に示す例では、図７（ｂ）に示すように、Ｅｘｉｆ情報７２に含まれる撮影日時情報７７が「２０１３／８／１０  ２０：０５：０３」であり、画像方向情報７８が（上，左）であり、ＧＰＳ情報７９に含まれる緯度が「３４．７１６８４４」、経度が「１３５．４８５５５３」である。これらの各情報７７〜７９と、図４に示す検索用データベース４６とに基づいて、画像形成装置１０では、情報管理サーバ装置１１から、撮影場所名情報６６に「△△花火大会」が格納されている撮影場所検索用情報６０が取得され、さらに、住所の情報として、「淀川区十三東Ｘ−ＸＸ−ＸＸ」が取得される。
【０１１７】
そして、これらの情報に基づいて、図７（ｃ）に示すように、「２０１３／８／１０  ２０：０５：０３  淀川区十三東Ｘ−ＸＸ−ＸＸでの  △△花火大会にて」という情報が、その文字の上下と、表面７１ａに印刷される撮影画像７０を目で見たときの上下とが一致するように、記録用紙７１の裏面７１ｂに印刷される。
【０１１８】
以上のように、本実施形態によれば、裏面印刷サービスを利用した写真プリントによって、記録用紙の表面には、撮影画像が印刷され、記録用紙の裏面には、撮影場所名情報６６、具体的には、その撮影画像が撮影された場所の名称、および／または、その画像が撮影された場所で開催されていたイベントの名称が印刷される。したがって、Ｅｘｉｆ情報のＧＰＳ情報に含まれる緯度および経度を示す数値がそのまま印刷される場合や、その緯度および経度が示す地点の住所のみが印刷される場合に比べて、利用者にとって利便性の高い情報を印刷することができる。
【０１１９】
また、本実施形態によれば、記録用紙の裏面に、撮影場所名情報６６などの情報を印刷する際に、撮影画像を目で見たときの上下と、撮影場所名情報６６などの情報の文字の上下とが一致するように印刷される。このように、利用者にとって、常に読み易い形で撮影場所名情報６６などの情報が印刷されるので、利便性をさらに向上させることができる。
【０１２０】
なお、本実施形態では、記録用紙の裏面には、撮影日時、撮影地点の住所、および撮影場所名情報６６が印刷されるように構成されているが、他の実施形態では、Ｅｘｉｆ情報に含まれる他の情報を併せて印刷するように構成してもよい。
【０１２１】
また、本実施形態では、領域情報６５として、緯度および経度で表した情報が用いられているが、他の実施形態では、領域情報として住所が用いられてもよい。この場合には、ステップｓ２４およびステップｓ２５において、撮影場所検索用情報６０を検索する際に、要求を受け付けた際に併せて受信したＧＰＳ情報に代えて、ステップｓ２２で求められた住所が用いられ、そのステップｓ２２で求められた住所に一致する住所が領域情報に格納されている撮影場所検索用情報６０が検索される。
【０１２２】
（第２の実施形態）
第１の実施形態に係る画像形成システム１では、画像形成装置１０において、ＧＰＳ情報が含まれる写真画像ファイルに基づいて撮影画像を印刷する際に、撮影場所名情報６６を、ネットワーク５を介して情報管理サーバ装置１１から取得し、記録用紙の表面に、画像データに基づく撮影画像を印刷し、その記録用紙の裏面に、情報管理サーバ装置１１から取得した撮影場所名情報６６を印刷可能に構築されていたが、第２の実施形態に係る画像形成システム１Ａでは、画像形成装置１０Ａにおいて、撮影画像に人間の顔が含まれている写真画像ファイルに基づいて撮影画像を印刷する際に、その人物を特定可能な名称（以下、「人物名情報」と称する）８６を、ネットワーク５を介して情報管理サーバ装置１１Ａから取得し、記録用紙の表面に、画像データに基づく撮影画像を印刷し、その記録用紙の裏面に、情報管理サーバ装置１１から取得した人物名情報８６を印刷可能に構築される。すなわち、本実施形態では、裏面印刷サービスを実現するために、情報管理サーバ装置１１Ａには、撮影画像に関する具体的な情報として、人物名情報８６が予め登録される。なお、本実施形態においても、第１の実施形態と同様に、裏面印刷サービスを利用するためには、事前に登録を行う必要があるものとする。
【０１２３】
本実施形態に係る画像形成システム１Ａは、画像形成装置１０Ａと、情報管理サーバ装置１１Ａとを含んで構成され、画像形成装置１０Ａと情報管理サーバ装置１１Ａとは、図１に示す第１の実施形態に係る画像形成システム１と同様に、ネットワーク５を介して相互に通信可能に接続されている。このように、本実施形態に係る画像形成システム１Ａの構成は、図１に示す第１の実施形態に係る画像形成システム１と同一の構成であるため、図示を省略し、重複する説明についても省略する。
【０１２４】
また、本実施形態に係る画像形成システム１Ａを構成する画像形成装置１０Ａの構成は、図２に示す第１の実施形態に係る画像形成システム１を構成する画像形成装置１０と同一の構成であるため、図示を省略し、重複する説明についても省略する。同様に、本実施形態に係る画像形成システム１Ａを構成する情報管理サーバ装置１１Ａの構成は、図３に示す第１の実施形態に係る画像形成システム１を構成する情報管理サーバ装置１１と同一の構成であるため、図示を省略し、重複する説明についても省略する。以下、第１の実施形態と相違している点について、詳細に説明する。
【０１２５】
本実施形態では、画像形成装置１０ＡのＨＤＤ２１には、第１の実施形態と同様に、各種のコンピュータプログラム、写真プリントの対象となる写真画像ファイル、および、ユーザ認証用データベース４７が記憶され、さらに、撮影画像の画像データに対して顔認識処理を実行するためのコンピュータプログラムが記憶される。
【０１２６】
画像形成装置１０Ａでは、このコンピュータプログラムによる顔認識処理が実行されると、処理対象の画像データが示す撮影画像の全領域について、人間の顔と認識することができる領域が検索され、人間の顔と認識することができる領域を検出することができた場合には、その検出した領域に含まれている顔の特徴情報をハッシュ化することで、ハッシュ情報が作成される。
【０１２７】
また、併せて、人間の顔と認識することができる領域が検出された位置を示す情報（以下、「検出位置情報」と称する）が作成されるとともに、人間の顔と認識することができる領域に含まれている顔の輪郭抽出が行われ、顔の輪郭を示す輪郭情報が作成される。そして、作成されたハッシュ情報、検出位置情報、および輪郭情報は、互いに関連付けられる。なお、撮影画像の中に、複数の人間の顔が写っている場合には、顔ごとにハッシュ情報等が作成される。
【０１２８】
一方、情報管理サーバ装置１１ＡのＨＤＤ４１には、情報入力装置１２によってあるいは操作部４２を介して、予め登録される人物名情報８６を一括して管理するための検索用データベース４６Ａが記憶される。図８は、情報管理サーバ装置１１ＡのＨＤＤ４１に格納される検索用データベース４６Ａの構成の一例を示す図である。
【０１２９】
検索用データベース４６Ａには、複数の人物名検索用情報８０が格納される。一の人物名検索用情報８０は、使用対象者情報８１、種別情報８２、開始日時情報８３、終了日時情報８４、ハッシュ情報８５、および人物名情報８６を含んで構成される。
【０１３０】
ここで、人物名検索用情報８０に含まれる人物名情報８６は、第１の実施形態に係る撮影場所名情報６６と同様に、公に通用している情報と、個人に特有の情報とに分類することができる。したがって、使用対象者情報８１には、第１の実施形態と同様に、利用登録者の全てが利用可能であることを示す「全ユーザ」、あるいは、利用登録者のユーザ情報に含まれるユーザＩＤが格納される。
【０１３１】
また、本実施形態に係る検索用データベース４６Ａに格納される人物名検索用情報８０はいずれも、顔認証データに基づいて人物名を特定するために用いられる情報であるので、人物名検索用情報８０に含まれる種別情報８２には、「顔情報」が格納される。
【０１３２】
人物名検索用情報８０に含まれる開始日時情報８３および終了日時情報８４は、第１の実施形態に係る撮影場所検索用情報６０に含まれる開始日時情報６３および終了日時情報６４と同様であるので、説明を省略する。なお、人物名検索用情報８０に含まれる開始日時情報８３および終了日時情報８４は、たとえば、対象の人物が「総理大臣」であれば、その在任期間に基づいて与えられる。また、一人の人間についても、成長とともに顔の特徴も大きく変わっていくので、そのために有効期間を設定できるようになっている。なお、有効期間は設定されなくてもよく、その場合には、開始日時情報８３および終了日時情報８４のいずれにも「未定」が格納される。
【０１３３】
人物名検索用情報８０に含まれるハッシュ情報８５は、予め顔認証処理を実行することによって作成される顔認証用のデータである。ハッシュ情報８５には、たとえば、検索用データベース４６Ａへの登録対象の人物の顔が写っている撮影画像の画像データを、情報入力装置１２からネットワーク５を介して情報管理サーバ装置１１Ａへアップロードし、情報管理サーバ装置１１ＡのＨＤＤ４１に記憶されている、顔認識処理のためのコンピュータプログラムを実行することで作成されたものが格納される。
【０１３４】
人物名検索用情報８０に含まれる人物名情報８６には、ハッシュ情報８５に対応した登録対象の人物の名称（名前）が格納される。
【０１３５】
人物名情報８６に格納される名称が、総理大臣および漫画家などのように公に通用している人物の名前である場合には、Ｎｏ．１，２の人物名検索用情報８０のように、使用対象者情報８１には「全ユーザ」が格納される。また、人物名情報８６に格納される名称が、友人、上司および息子などのように個人に特有の人物の名前である場合には、Ｎｏ．１００１〜１００３の人物名検索用情報８０のように、使用対象者情報８１には、その個人に相当する利用登録者のユーザＩＤが格納される。
【０１３６】
人物名検索用情報８０のうち、Ｎｏ．１，２の人物名検索用情報８０のように、人物名情報８６が公に通用している人物の名前であるものについては、たとえば、裏面印刷サービスを提供する者あるいは情報管理サーバ装置１１Ａの管理者によって、情報管理サーバ装置１１Ａに、その操作部４２を介して直接登録される。
【０１３７】
また、人物名検索用情報８０のうち、Ｎｏ．１００１〜１００３の人物名検索用情報８０のように、人物名情報８６が個人に特有の人物の名前であるものについては、裏面印刷サービスの利用登録者によって、情報入力装置１２を用いてネットワーク５を介して登録される。
【０１３８】
以下、画像形成装置１０Ａにおいて写真プリントが実行される場合の、画像形成装置１０Ａおよび情報管理サーバ装置１１Ａの動作を、図９Ａおよび図９Ｂならびに図１０を参照して説明する。図９および図９Ｂは、画像形成装置１０Ａにおいて実行される写真プリントに係る処理の処理手順を示すフローチャートである。図１０は、情報管理サーバ装置１１Ａにおいて実行される写真プリントに係る処理の処理手順を示すフローチャートである。なお、第１の実施形態において行われる処理と同一の処理については、同一のステップ番号を付し、重複する説明を省略する。
【０１３９】
写真プリントサービスを利用しようとする利用者が、画像形成装置１０Ａの操作部２３を操作することにより、写真プリントモードへ移行すると、処理が開始されてステップｓ１に進む。ステップｓ１，２の後、ステップｓ３が実行されると、ステップｓ３１に進む。
【０１４０】
ステップｓ３１で、ＣＰＵ３１は、顔認識処理の設定が有効であるか否かを判断する。有効である場合には、ステップｓ３２に進み、顔認識処理が実行される。一方、無効である場合には、ステップｓ１５に進み、顔認識処理が実行されることなく、ステップｓ２で選択された写真画像ファイルに含まれる撮影画像の画像データに基づいて、記録用紙の表面に撮影画像が印刷されて、処理を終了する。なお、顔認識処理の有効・無効の設定は、たとえば画像形成装置１０Ａの管理者によって行われる。
【０１４１】
ステップｓ３２で、ＣＰＵ３１は、ステップｓ２で選択された写真画像ファイルに含まれているＥｘｉｆ情報から、撮影日時情報と、画像方向情報とを取得し、ステップｓ３３に進む。
【０１４２】
ステップｓ３３で、ＣＰＵ３１は、ステップｓ２で選択された写真画像ファイルに含まれる画像データが示す撮影画像の全領域について、人間の顔と認識することができる領域の検索を開始し、ステップｓ３４に進む。
【０１４３】
ステップｓ３４で、ＣＰＵ３１は、人間の顔と認識することができる領域が検出されたか否かを判断し、検出された場合にはステップｓ３５に進み、検出されない場合にはステップｓ３６に進む。
【０１４４】
ステップｓ３５で、ＣＰＵ３１は、その検出した領域に含まれている顔の特徴情報をハッシュ化することで、ハッシュ情報を作成するとともに、検出位置情報および輪郭情報を作成し、ステップｓ３６に進む。
【０１４５】
ステップｓ３６で、ＣＰＵ３１は、撮影画像の全領域について、人間の顔と認識することができる領域の検索が終了したか否かを判断し、終了していない場合にはステップｓ３３に戻って検索を続行し、終了している場合にはステップｓ３７に進む。
【０１４６】
ステップｓ３７で、ＣＰＵ３１は、顔認識処理によってハッシュ情報が作成されたか否かを判断し、作成された場合にはステップｓ３８に進み、作成されなかった場合にはステップｓ１５に進み、ステップｓ２で選択された写真画像ファイルに含まれる撮影画像の画像データに基づいて、記録用紙の表面に撮影画像が印刷されて、処理を終了する。
【０１４７】
ステップｓ３８で、ＣＰＵ３１は、作成されたハッシュ情報と、ステップｓ３２で取得された撮影日時情報と、ステップｓ１で利用者により入力されたユーザ情報に含まれるユーザＩＤとを、ネットワーク５を介して情報管理サーバ装置１１Ａへ送信することによって、人物名情報８６の提供を要求し、ステップｓ７に進む。
【０１４８】
ここで、図１０を参照して、情報管理サーバ装置１１Ａにおいて実行される処理について説明する。ステップｓ２１で、要求を受け付けると、ステップｓ５１に進む。ステップｓ５１で、ＣＰＵ５１は、ＨＤＤ４１に記憶される検索用データベース４６Ａを参照し、検索用データベース４６Ａに格納されている複数の人物名検索用情報８０の中に、要求を受け付けた際に併せて受信したユーザＩＤと一致している使用対象者情報８１を含む人物名検索用情報８０が有るか無いかを判断する。有りと判断されるとステップｓ５２に進み、無しと判断されるとステップｓ５３に進む。
【０１４９】
ステップｓ５２で、ＣＰＵ５１は、ユーザＩＤと一致している使用対象者情報６１を含む一または複数の人物名検索用情報８０の中から、要求を受け付けた際に併せて受信した撮影日時情報が示す日時が、開始日時情報８３と終了日時情報８４とによって規定される有効期間内であり、かつ、要求を受け付けた際に併せて受信したハッシュ情報に一致あるいは対応しているハッシュ情報８５を含む人物名検索用情報８０を検索する。検索の結果、条件に当てはまる人物名検索用情報８０が発見された場合には、ステップｓ５４に進み、条件に当てはまる人物名検索用情報８０が発見されなかった場合には、ステップｓ５３に進む。
【０１５０】
ステップｓ５３で、ＣＰＵ５１は、裏面印刷サービスの利用登録者の全てが利用可能とされる人物名検索用情報８０、換言すれば、使用対象者情報８１に「全ユーザ」が格納されている人物名検索用情報８０の中から、前記と同様に、要求を受け付けた際に併せて受信した撮影日時情報が示す日時が、開始日時情報８３と終了日時情報８４とによって規定される有効期間内であり、かつ、要求を受け付けた際に併せて受信したハッシュ情報に一致あるいは対応しているハッシュ情報８５を含む人物名検索用情報８０を検索する。検索の結果、条件に当てはまる人物名検索用情報８０が発見された場合には、ステップｓ５４に進み、条件に当てはまる人物名検索用情報８０が発見されなかった場合には、ステップｓ５５に進む。
【０１５１】
ステップｓ５４で、ＣＰＵ５１は、条件に当てはまる人物名検索用情報８０を、ネットワーク５を介して、人物名情報８６の提供を要求してきた画像形成装置１０Ａへ送信し、処理を終了する。
【０１５２】
ステップｓ２７で、ＣＰＵ５１は、条件に当てはまる人物名検索用情報８０が存在しなかった旨の情報を、ネットワーク５を介して、人物名情報８６の提供を要求してきた画像形成装置１０Ａへ送信し、処理を終了する。
【０１５３】
再び、図９を参照して、ステップｓ７で、応答を受信すると、ステップｓ８に進む。以降、ステップｓ８〜ステップｓ１２の後、ステップｓ１３が実行されると、ステップｓ３９に進む。なお、本実施形態におけるステップｓ８〜ステップｓ１２は、第１の実施形態におけるステップｓ８〜ステップｓ１２の撮影場所名情報６６を人物名情報８６に、また撮影場所検索用情報６０を人物名検索用情報８０読替えたものとする。
【０１５４】
ステップｓ３９で、ＣＰＵ３１は、輪郭印刷設定が有効であるか否かを判断する。有効である場合には、ステップｓ４０に進み、無効である場合には、ステップｓ４１に進む。なお、輪郭印刷設定の有効・無効の設定は、たとえば画像形成装置１０Ａの管理者によって行われる。
【０１５５】
ステップｓ４０で、ＣＰＵ３１は、ステップｓ３５で作成された輪郭情報と検出位置情報に基づいて、輪郭の線画とともに、ステップｓ１０で確定された内容の人物名情報８６、あるいは、ステップｓ１１で修正された内容の人物名情報８６、あるいは、ステップｓ１２で入力された内容の人物名情報８６が、ステップｓ１３で撮影画像が印刷された記録用紙の裏面に印刷されるように、画像形成部２６を制御する。
【０１５６】
すなわち、記録用紙の裏面には、表面に描画されている画像における顔の配置に一致するように輪郭の線画が描画され、その輪郭の線画の内側には、表面において対応する位置に配置されている顔の人物の人物名情報８６が印刷される。
【０１５７】
このとき、ＣＰＵ３１は、ステップｓ３２で取得された画像方向情報に基づいて、人物名情報８６を表す文字が、表面に印刷される撮影画像の向きと同じ向きで裏面に印刷されるように、画像形成部２６を制御する。すなわち、画像形成部２６は、表面に印刷される撮影画像を目で見たときの上下と、裏面に印刷される人物名情報８６を表す文字を目で見たときの上下とが一致するように制御される。記録用紙の裏面に、人物名情報８６を表す文字が印刷されると、処理を終了する。
【０１５８】
ステップｓ４１で、ＣＰＵ３１は、ステップｓ３５で作成された検出位置情報に基づいて、ステップｓ１０で確定された内容の人物名情報８６、あるいは、ステップｓ１１で修正された内容の人物名情報８６、あるいは、ステップｓ１２で入力された内容の人物名情報８６が、記録用紙の表面において、その人物名情報８６に対応する人物の顔が配置されている位置のちょうど裏面に当たる位置に印刷されるように、画像形成部２６を制御する。
【０１５９】
この場合も、前記と同様に、画像形成部２６は、ステップｓ３２で取得された画像方向情報に基づいて、表面に印刷される撮影画像を目で見たときの上下と、裏面に印刷される人物名情報８６を表す文字を目で見たときの上下とが一致するように制御される。記録用紙の裏面に、人物名情報８６を表す文字が印刷されると、処理を終了する。
【０１６０】
以上のように、本実施形態によれば、裏面印刷サービスを利用した写真プリントによって、記録用紙の表面には、撮影画像が印刷され、記録用紙の裏面には、人物名情報８６、具体的には、その撮影画像に写っている人物の名前が印刷される。このように、利用者にとって利便性の高い情報を印刷することができる。
【０１６１】
また、本実施形態によれば、記録用紙の裏面に、人物名情報８６を印刷する際に、撮影画像を目で見たときの上下と、人物名情報８６の文字の上下とが一致するように印刷される。このように、利用者にとって、常に読み易い形で人物名情報８６が印刷されるので、利便性をさらに向上させることができる。
【０１６２】
（第３の実施形態）
第３の実施形態に係る画像形成システム１Ｂ（図示せず）は、第１の実施形態に係る画像形成システム１と、第２の実施形態に係る画像形成システム１Ａとが組み合わされて構成される。したがって、本実施形態によれば、ＧＰＳ情報が含まれる写真画像ファイルに基づいて撮影画像を印刷する場合、記録用紙の裏面には、撮影が行われた日時、撮影が行われた地点の住所および撮影場所名情報６６を表す文字が印刷され、撮影画像に人間の顔が含まれている写真画像ファイルに基づいて撮影画像を印刷する場合、記録用紙の裏面には、人物名情報８６を表す文字が印刷される。
【０１６３】
したがって、ＧＰＳ情報が含まれ、かつ、撮影画像に人間の顔が含まれている写真画像ファイルに基づいて撮影画像を印刷する場合には、撮影が行われた日時、撮影が行われた地点の住所、撮影場所名情報６６、および人物名情報８６を表す文字を印刷することができる。
【０１６４】
図１１は、本実施形態に係る画像形成システム１Ｂによる、裏面印刷サービスを利用した写真プリントの一例を示す図である。図１１（ａ）は、撮影画像９０が印刷された記録用紙９１の表面９１ａを示す図であり、図１１（ｂ）は、撮影画像９０の画像データを含む写真画像ファイルに含まれるＥｘｉｆ情報９２の一部を示す図であり、図１１（ｃ）は、記録用紙９１の裏面９１ｂの一例を示す図である。図１１（ｄ）は、記録用紙９１の裏面９１ｂの他の例を示す図である。
【０１６５】
なお、図１１（ａ）では、矩形状の記録用紙９１の４つの縁辺に、参照符９３〜９６をそれぞれ付し、図１１（ｃ）および図１１（ｄ）では、図１１（ａ）における４つの縁辺９３〜９６に対応する縁辺に、同一の参照符を付して示している。また、図１１（ａ）に示す撮影画像９０に含まれる二人の人物のうち、左側の人物が図８に示す息子Ｇであり、右側の人物が友人Ｅであるとする。
【０１６６】
図１１に示す例では、図１１（ｂ）に示すように、Ｅｘｉｆ情報９２に含まれる撮影日時情報９７が「２０１３／７／３０  １８：０５：３０」であり、画像方向情報９８が（上，左）であり、ＧＰＳ情報９９に含まれる緯度が「３４．６８５３３」、経度が「１３５．８３２７４５」である。これらの各情報９７〜９９と、図４に示す検索用データベース４６とに基づいて、画像形成装置１０Ｂでは、情報管理サーバ装置１１Ｂから、撮影場所名情報６６に「自宅」が格納されている撮影場所検索用情報６０と、撮影場所名情報６６に「息子の誕生会」が格納されている撮影場所検索用情報６０とが取得される。
【０１６７】
さらに、画像形成装置１０Ｂでは、情報管理サーバ装置１１Ｂから、撮影画像に含まれる２つの顔についての人物名検索用情報８０が取得される。この場合、人物名情報８６に息子Ｇの名前「○×○×」が格納されている人物名検索用情報８０と、人物名情報８６に友人Ｅの名前「△□△□」が格納されている人物名検索用情報８０とが取得される。
【０１６８】
そして、これらの情報に基づいて、図１１（ｃ）に示す例では、「２０１３／７／３０  １８：０５：３０  自宅での  息子の誕生会にて」という情報、ならびに、息子Ｇの輪郭の線画ｇ１および友人Ｅの輪郭の線画ｅ１とともに、息子Ｇの名前「○×○×」および友人Ｅの名前「△□△□」が、記録用紙９１の裏面９１ｂに印刷される。
【０１６９】
一方、図１１（ｄ）に示す例では、「２０１３／７／３０  １８：０５：３０  自宅での  息子の誕生会にて」という情報、ならびに、息子Ｇの名前「○×○×」および友人Ｅの名前「△□△□」が、記録用紙９１の裏面９１ｂに印刷される。この場合、息子Ｇの名前「○×○×」は、記録用紙９１の表面９１ａにおける息子Ｇの顔の位置のちょうど裏側に印刷され、友人Ｅの名前「△□△□」は、記録用紙９１の表面９１ａにおける友人Ｅの顔の位置のちょうど裏側に印刷される。なお、破線ｇ２は、記録用紙９１の表面９１ａにおける息子Ｇの顔の位置を表し、破線ｅ２は、記録用紙９１の表面９１ａにおける友人Ｅの顔の位置を表している。
【０１７０】
以上のように、本実施形態によれば、裏面印刷サービスを利用した写真プリントによって、記録用紙の表面には、撮影画像が印刷され、記録用紙の裏面には、撮影日時、撮影地点の住所、撮影場所名情報６６、および人物名情報８６が印刷される。このように、利用者にとって利便性の高い情報を印刷することができる。
【０１７１】
（第４の実施形態）
第４の実施形態に係る画像形成システム１Ｃは、第１の実施形態に係る画像形成システム１に機能を追加したものであり、具体的には、画像形成装置１０Ｃにおいて、ＧＰＳ情報が含まれる写真画像ファイルに基づいて撮影画像を印刷する際に、第１の実施形態と同様に、撮影場所名情報６６を情報管理サーバ装置１１Ｃから取得するとともに、撮影された地点付近の地図画像を情報管理サーバ装置１１Ｃから取得し、記録用紙の表面に、画像データに基づく撮影画像を印刷し、その記録用紙の裏面に、情報管理サーバ装置１１から取得した撮影場所名情報６６に加えて、地図画像を印刷可能に構築される。
【０１７２】
このため、本実施形態に係る画像形成システム１Ｃは、図１に示す第１の実施形態に係る画像形成システム１と同一に構成され、図示を省略し、重複する説明についても省略する。
【０１７３】
また、本実施形態に係る画像形成システム１Ｃを構成する画像形成装置１０Ｃおよび情報管理サーバ装置１１Ｃも、第１の実施形態に係る画像形成装置１０および情報管理サーバ装置１１と同一に構成され、図示を省略し、重複する説明についても省略する。
【０１７４】
本実施形態では、情報管理サーバ装置１１ＣのＨＤＤ４１には、住所を求めるためのコンピュータプログラムを含む各種のコンピュータプログラム、ユーザ認証用データベース４７、検索用データベース４６の他に、さらに、様々な縮尺での全国の地図画像が記憶される。
【０１７５】
そして、本実施形態では、図６に示すフローチャートのステップｓ２２の処理において、ＣＰＵ５１は、画像形成装置１０Ｃから要求を受け付けた際に併せて受信したＧＰＳ情報に基づいて、そのＧＰＳ情報に含まれる緯度および経度が示す地点の住所を求めるとともに、ＨＤＤ４１に記憶される、様々な縮尺での全国の地図画像について、その地点付近の地図画像が切り出される。そして、切り出された様々な縮尺での地図画像が、同フローチャートのステップｓ２６またはステップｓ２７の処理において、撮影場所検索用情報６０あるいは撮影場所検索用情報６０が存在しなかった旨の情報および住所の情報とともに、情報管理サーバ装置１１Ｃから画像形成装置１０Ｃへ送信される。
【０１７６】
一方、画像形成装置１０Ｃでは、これらの情報が受信されると、ＣＰＵ３１は、図５に示すフローチャートのステップｓ８〜ステップｓ１２の処理に加えて、記録用紙の裏面に印刷させる地図画像の縮尺を選択させるための画面を、表示部２４に表示させることにより、利用者に縮尺を選択させる。
【０１７７】
そして、同フローチャートのステップｓ１４の処理において、ＣＰＵ３１は、記録用紙の裏面に、日時、住所および撮影場所名情報６６を表す文字とともに、利用者によって選択された縮尺での切り出された地図画像が印刷されるように、画像形成部２６を制御する。
【０１７８】
以上のように、本実施形態によれば、裏面印刷サービスを利用した写真プリントによって、記録用紙の表面には、撮影画像が印刷され、記録用紙の裏面には、撮影日時、撮影地点の住所、撮影場所名情報６６、および撮影地点付近の地図画像が印刷される。このように、利用者にとって利便性の高い情報を印刷することができる。
【０１７９】
（第５の実施形態）
上記の第１〜第４の実施形態では、画像形成装置１０と情報管理サーバ装置１１とから成る画像形成システム１によって、裏面印刷サービスを利用した写真プリントが実現されていたが、第５の実施形態では、画像形成装置１０単独で実現されてもよい。この場合、情報管理サーバ装置１１のＨＤＤ４１に記憶される情報を、画像形成装置１０のＨＤＤ２１に記憶させるようにすることで実現することができる。
【符号の説明】
【０１８０】
１  画像形成システム
５  ネットワーク
１０  画像形成装置
１１  情報管理サーバ装置
１２  情報入力装置
【図１】
2015115705.tif 000003
【図２】
2015115705.tif 000004
【図３】
2015115705.tif 000005
【図４】
2015115705.tif 000006
【図５】
2015115705.tif 000007
【図６】
2015115705.tif 000008
【図８】
2015115705.tif 000009
【図９Ａ】
2015115705.tif 000010
【図９Ｂ】
2015115705.tif 000011
【図１０】
2015115705.tif 000012
【図１１】
2015115705.tif 000013
【図７】
2015115705.tif 000014